(57)【要約】  本願の実施例は、情報伝送方法及び関連製品を開示し、端末が第１の下り制御シグナリングＤＣＩを受信することと、端末が第２のＤＣＩを受信することと、端末が第２のＤＣＩの送信時間に基づいて、目標時間ユニットにおいてＰＵＳＣＨで第２のＤＣＩのフィードバック応答情報を送信することとを含み、第１のＤＣＩは、端末が目標時間ユニットにおいて物理上り共有チャネルＰＵＳＣＨで上りデータを送信するようにスケジューリングするために用いられ、第２のＤＣＩのフィードバック応答情報が目標時間ユニットに送信され、第２のＤＣＩの送信時間が目標時間ユニットの前又は目標時間ユニットと同じである。本願の実施例は、通信システムのデータのスケジューリングの正確性及び安定性を向上させる。
2021500767.tif 000002
【特許請求の範囲】
【請求項１】
端末が第１の下り制御シグナリングＤＣＩを受信することと、
前記端末が第２のＤＣＩを受信することと、
前記端末が前記第２のＤＣＩの送信時間に基づいて、目標時間ユニットにおいてＰＵＳＣＨで前記第２のＤＣＩのフィードバック応答情報を送信すると確定することとを含み、
前記第１のＤＣＩは、前記端末が前記目標時間ユニットにおいて前記物理上り共有チャネルＰＵＳＣＨで上りデータを送信するようにスケジューリングするために用いられ、
前記第２のＤＣＩのフィードバック応答情報が前記目標時間ユニットにおいて送信され、前記第２のＤＣＩの送信時間が前記目標時間ユニットの前、又は前記目標時間ユニットと同じである
ことを特徴とする情報伝送方法。
【請求項２】
前記端末が前記第２のＤＣＩの送信時間に基づいて、前記目標時間ユニットにおいて前記ＰＵＳＣＨで前記第２のＤＣＩのフィードバック応答情報を送信すると確定することは、
前記端末が、前記第２のＤＣＩの送信時間が前記第１のＤＣＩの送信時間の前、又は前記第１のＤＣＩの送信時間と同じであると確定することと、
前記端末が前記第２のＤＣＩのフィードバック応答情報のビット数又は占有リソースに応じて、前記第１のＤＣＩによりスケジューリングされる上りデータに対してレートマッチングを行うことと、
前記端末が前記ＰＵＳＣＨでレートマッチングされた前記上りデータ及び前記第２のＤＣＩのフィードバック応答情報を伝送することとを含む
ことを特徴とする請求項１に記載の情報伝送方法。
【請求項３】
前記端末が前記第２のＤＣＩの送信時間に基づいて、前記目標時間ユニットにおいて前記ＰＵＳＣＨで前記第２のＤＣＩのフィードバック応答情報を送信すると確定することは、
前記端末が、前記第２のＤＣＩの送信時間が前記第１のＤＣＩの送信時間の後であると確定することと、
前記端末が前記第２のＤＣＩのフィードバック応答情報をパンクチャリングにより前記ＰＵＳＣＨに多重して伝送することとを含む
ことを特徴とする請求項１に記載の情報伝送方法。
【請求項４】
前記第２のＤＣＩが複数のＤＣＩを含み、各ＤＣＩがフィードバック応答情報を有し、前記端末が前記第２のＤＣＩの送信時間に基づいて、前記目標時間ユニットにおいて前記ＰＵＳＣＨで前記第２のＤＣＩのフィードバック応答情報を送信すると確定することは、
前記端末が、前記複数のＤＣＩのうちの少なくとも１つのＤＣＩの送信時間が前記第１のＤＣＩの送信時間の後であると確定することと、
前記端末が前記複数のＤＣＩのフィードバック応答情報をパンクチャリングにより前記ＰＵＳＣＨに多重して伝送することとを含む
ことを特徴とする請求項１に記載の情報伝送方法。
【請求項５】
前記端末が前記第２のＤＣＩの送信時間に基づいて、前記目標時間ユニットにおいて前記ＰＵＳＣＨで前記第２のＤＣＩのフィードバック応答情報を送信すると確定することは、
前記端末が、前記第２のＤＣＩの送信時間と前記目標時間ユニットと又は前記ＰＵＳＣＨの開始位置との時間間隔を確定することと、
前記端末が前記時間間隔に基づいて、前記目標時間ユニットにおいて前記ＰＵＳＣＨで前記第２のＤＣＩのフィードバック応答情報を送信することとを含む
ことを特徴とする請求項１に記載の情報伝送方法。
【請求項６】
前記端末が前記時間間隔に基づいて、前記目標時間ユニットにおいて前記ＰＵＳＣＨで前記第２のＤＣＩのフィードバック応答情報を送信することは、
前記端末が、前記時間間隔が所定の時間間隔の以上であると確定し、前記第２のＤＣＩのフィードバック応答情報のビット数又は占有リソースに基づいて、前記第１のＤＣＩによりスケジューリングされる上りデータに対してレートマッチングを行うことと、
前記端末が前記ＰＵＳＣＨでレートマッチングされた前記上りデータ及び前記第２のＤＣＩのフィードバック応答情報を伝送することとを含む
ことを特徴とする請求項５に記載の情報伝送方法。
【請求項７】
前記端末が前記時間間隔に基づいて、前記目標時間ユニットにおいて前記ＰＵＳＣＨで前記第２のＤＣＩのフィードバック応答情報を送信することは、
前記端末が、前記時間間隔が所定の時間間隔より小さいと確定し、前記第２のＤＣＩのフィードバック応答情報をパンクチャリングにより前記ＰＵＳＣＨに多重して伝送することとを含む
ことを特徴とする請求項５に記載の情報伝送方法。
【請求項８】
前記第２のＤＣＩが複数のＤＣＩを含み、各ＤＣＩがフィードバック応答情報を有し、前記端末が前記複数の第２のＤＣＩの送信時間に基づいて、前記目標時間ユニットにおいて前記ＰＵＳＣＨで前記第２のＤＣＩのフィードバック応答情報を送信することは、
前記端末が、前記複数のＤＣＩのうちの少なくとも１つのＤＣＩの送信時間と前記目標時間ユニットと又は前記ＰＵＳＣＨの開始位置との時間間隔が所定の時間間隔より小さいと確定することと、
前記端末が前記複数のＤＣＩのフィードバック応答情報をパンクチャリングにより前記ＰＵＳＣＨに多重して伝送することとを含む
ことを特徴とする請求項１に記載の情報伝送方法。
【請求項９】
前記方法は、さらに、
前記端末がネットワークデバイスに前記所定の時間間隔を送信すること、又は、
前記端末が前記ネットワークデバイスに前記所定の時間間隔を含む端末レベル情報を送信することを含む
ことを特徴とする請求項５〜８のいずれか１項に記載の情報伝送方法。
【請求項１０】
ネットワークデバイスが第１の下り制御シグナリングＤＣＩを送信することと、
前記ネットワークデバイスが第２のＤＣＩを送信することと、
前記ネットワークデバイスが前記第２のＤＣＩの送信時間に基づいて、目標時間ユニットにおいてＰＵＳＣＨで前記第２のＤＣＩのフィードバック応答情報を受信すると確定することとを含み、
前記第１のＤＣＩは、端末が前記目標時間ユニットにおいて前記物理上り共有チャネルＰＵＳＣＨで上りデータを送信するようにスケジューリングするために用いられ、
前記第２のＤＣＩのフィードバック応答情報が前記目標時間ユニットにおいて送信され、前記第２のＤＣＩの送信時間が前記目標時間ユニットの前、又は前記目標時間ユニットと同じである
ことを特徴とする情報伝送方法。
【請求項１１】
前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定することは、
前記ネットワークデバイスが、前記第２のＤＣＩの送信時間が前記第１のＤＣＩの送信時間の後、又は前記第１のＤＣＩの送信時間と同じであると確定することと、
前記ネットワークデバイスが前記第２のＤＣＩのフィードバック応答情報のビット数又は占有リソースに基づいて、前記第１のＤＣＩによりスケジューリングされる上りデータに対してレートデマッチングを行うことと、
前記ネットワークデバイスが前記上りデータ及び前記第２のＤＣＩのフィードバック応答情報を復調することとを含む
ことを特徴とする請求項１０に記載の情報伝送方法。
【請求項１２】
前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定することは、
前記ネットワークデバイスが、前記第２のＤＣＩの送信時間が前記第１のＤＣＩの送信時間の後であると確定することと、
前記ネットワークデバイスが、前記第２のＤＣＩのフィードバック応答情報がパンクチャリングにより前記ＰＵＳＣＨに多重されて伝送されると確定することと、
前記ネットワークデバイスが前記上りデータ及び前記第２のＤＣＩのフィードバック応答情報を復調することとを含む
ことを特徴とする請求項１０に記載の情報伝送方法。
【請求項１３】
前記第２のＤＣＩが複数のＤＣＩを含み、各ＤＣＩがフィードバック応答情報を有し、前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定することは、
前記ネットワークデバイスが、前記複数のＤＣＩのうちの少なくとも１つのＤＣＩの送信時間が前記第１のＤＣＩの送信時間の後であると確定することと、
前記ネットワークデバイスが、前記複数のＤＣＩのフィードバック応答情報がパンクチャリングにより前記ＰＵＳＣＨに多重されて伝送されると確定することと、
前記ネットワークデバイスが前記上りデータ及び前記複数のＤＣＩのフィードバック応答情報を復調することとを含む
ことを特徴とする請求項１０に記載の情報伝送方法。
【請求項１４】
前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定することは、
前記ネットワークデバイスが、前記第２のＤＣＩの送信時間と前記目標時間ユニットと又は前記ＰＵＳＣＨ開始位置との時間間隔を確定することと、
前記ネットワークデバイスが、前記時間間隔に基づいて、前記目標時間ユニットにおいて前記ＰＵＳＣＨで前記第２のＤＣＩのフィードバック応答情報を受信すると確定することとを含む
ことを特徴とする請求項１０に記載の情報伝送方法。
【請求項１５】
前記ネットワークデバイスが、前記時間間隔に基づいて、前記目標時間ユニットにおいて前記ＰＵＳＣＨで前記第２のＤＣＩのフィードバック応答情報を受信すると確定することは、
前記ネットワークデバイスが、前記時間間隔が所定の時間間隔の以上であると確定し、前記第２のＤＣＩのフィードバック応答情報のビット数又は占有リソースに基づいて、前記第１のＤＣＩによりスケジューリングされる上りデータに対してレートデマッチングを行うことと、
前記ネットワークデバイスが前記上りデータ及び前記第２のＤＣＩのフィードバック応答情報を復調することとを含む
ことを特徴とする請求項１４に記載の情報伝送方法。
【請求項１６】
前記ネットワークデバイスが、前記時間間隔に基づいて、前記目標時間ユニットにおいて前記ＰＵＳＣＨで前記第２のＤＣＩのフィードバック応答情報を受信すると確定することは、
前記ネットワークデバイスが、前記時間間隔が所定の時間間隔より小さいと確定し、前記第２のＤＣＩのフィードバック応答情報がパンクチャリングにより前記ＰＵＳＣＨに多重されて伝送されると確定することと、
前記ネットワークデバイスが前記上りデータ及び前記第２のＤＣＩのフィードバック応答情報を復調することとを含む
ことを特徴とする請求項１４に記載の情報伝送方法。
【請求項１７】
前記第２のＤＣＩが複数のＤＣＩを含み、各ＤＣＩがフィードバック応答情報を有し、前記ネットワークデバイスが前記複数の第２のＤＣＩの送信時間に基づいて、前記目標時間ユニットにおいて前記ＰＵＳＣＨで前記第２のＤＣＩのフィードバック応答情報を送信すると確定することは、
前記ネットワークデバイスが、前記複数のＤＣＩのうちの少なくとも１つのＤＣＩの送信時間と前記目標時間ユニットと又は前記ＰＵＳＣＨ開始位置との時間間隔が所定の時間間隔より小さいと確定することと、
前記ネットワークデバイスが、前記複数のＤＣＩのフィードバック応答情報がパンクチャリングにより前記ＰＵＳＣＨに多重されて伝送されると確定することと、
前記ネットワークデバイスが前記上りデータ及び前記複数のＤＣＩのフィードバック応答情報を復調することとを含む
ことを特徴とする請求項１０に記載の情報伝送方法。
【請求項１８】
前記方法は、さらに、
前記ネットワークデバイスが前記端末からの前記所定の時間間隔を受信すること、又は、
前記ネットワークデバイスが、前記端末からの前記所定の時間間隔を含む端末レベル情報を受信することを含む
ことを特徴とする請求項１４〜１７のいずれか１項に記載の情報伝送方法。
【請求項１９】
処理ユニットと通信ユニットとを備える端末であって、
前記処理ユニットは、前記通信ユニットを利用して第１の下り制御シグナリングＤＣＩを受信し、前記通信ユニットを利用して第２のＤＣＩを受信し、前記第２のＤＣＩの送信時間に基づいて、目標時間ユニットにおいてＰＵＳＣＨで前記第２のＤＣＩのフィードバック応答情報を送信するように構成され、
前記第１のＤＣＩは、前記端末が前記目標時間ユニットにおいて前記物理上り共有チャネルＰＵＳＣＨで上りデータを送信するようにスケジューリングするために用いられ、
前記第２のＤＣＩのフィードバック応答情報が前記目標時間ユニットにおいて送信され、前記第２のＤＣＩの送信時間が前記目標時間ユニットの前、又は前記目標時間ユニットと同じである
ことを特徴とする端末。
【請求項２０】
処理ユニットと通信ユニットとを備えるネットワークデバイスであって、
前記処理ユニットは、前記通信ユニットを利用して第１の下り制御シグナリングＤＣＩを送信し、前記通信ユニットを利用して第２のＤＣＩを送信し、前記第２のＤＣＩの送信時間に基づいて、目標時間ユニットにおいてＰＵＳＣＨで前記第２のＤＣＩのフィードバック応答情報を受信するように構成され、
前記第１のＤＣＩは、端末が前記目標時間ユニットにおいて前記物理上り共有チャネルＰＵＳＣＨで上りデータを送信するようにスケジューリングするために用いられ、
前記第２のＤＣＩのフィードバック応答情報が前記目標時間ユニットにおいて送信され、前記第２のＤＣＩの送信時間が前記目標時間ユニットの前、又は前記目標時間ユニットと同じである
ことを特徴とするネットワークデバイス。
【請求項２１】
プロセッサと、メモリと、通信インターフェースと、１つ以上のプログラムとを備え、前記１つ以上のプログラムが前記メモリに記憶され、前記プロセッサによって実行され、前記プログラムは、請求項１〜９のいずれか１項に記載の方法におけるステップを実行するための命令を含む、端末。
【請求項２２】
プロセッサと、メモリと、通信インターフェースと、１つ以上のプログラムとを備え、前記１つ以上のプログラムが前記メモリに記憶され、前記プロセッサによって実行され、前記プログラムは、請求項１０〜１８のいずれか１項に記載の方法におけるステップを実行するための命令を含む、ネットワークデバイス。
【請求項２３】
電子データ交換のためのコンピュータプログラムを格納したコンピュータ可読記憶媒体であって、前記コンピュータプログラムは、コンピュータに請求項１〜９のいずれか１項に記載の方法を実行させる、コンピュータ可読記憶媒体。
【請求項２４】
電子データ交換のためのコンピュータプログラムを格納したコンピュータ可読記憶媒体であって、前記コンピュータプログラムは、コンピュータに請求項１０〜１８のいずれか１項に記載の方法を実行させる、コンピュータ可読記憶媒体。
【発明の詳細な説明】
【技術分野】
【０００１】
本願は、通信技術分野に関し、特に、情報伝送方法及び関連製品に関する。
【背景技術】
【０００２】
第３世代パートナーシッププロジェクト(３ｒｄ Ｇｅｎｅｒａｔｉｏｎ Ｐａｒｔｎｅｒｓｈｉｐ Ｐｒｏｊｅｃｔ、３ＧＰＰ )のロングタームエボリューション( Ｌｏｎｇ  Ｔｅｒｍ  Ｅｖｏｌｕｔｉｏｎ、ＬＴＥ )システムにおいて、上り物理チャネルは、主に、物理上り制御チャネル( Ｐｈｙｓｉｃａｌ Ｕｐｌｉｎｋ Ｃｏｎｔｒｏｌ Ｃｈａｎｎｅｌ、ＰＵＣＣＨ )、物理上り共有チャネル( Ｐｈｙｓｉｃａｌ Ｕｐｌｉｎｋ Ｓｈａｒｅｄ Ｃｈａｎｎｅｌ、ＰＵＳＣＨ )などのチャネルからなる。ここで、ＰＵＣＣＨチャネルは、個別の上り制御情報を伝送するために使用され、ＰＵＳＣＨチャネルは、上り共有チャネルデータと上り制御情報とを同時に伝送するために使用されることができる。
【発明の概要】
【０００３】
本願の実施例は、ＰＵＳＣＨ多重化によるＵＣＩの送信を可能にし、通信システムのデータのスケジューリングの正確性及び安定性を向上させる情報伝送方法及び関連製品を提供する。
【０００４】
第１の形態として、本願の実施例は、情報伝送方法を提供し、
端末が第１の下り制御シグナリングＤＣＩを受信することと、
前記端末が第２のＤＣＩを受信することと、
前記端末が第２のＤＣＩの送信時間に基づいて、目標時間ユニットにおいて前記ＰＵＳＣＨで前記第２のＤＣＩのフィードバック応答情報を送信すると確定することとを含み、
前記第１のＤＣＩは、前記端末が目標時間ユニットにおいて物理上り共有チャネルＰＵＳＣＨで上りデータを送信するようにスケジューリングするために用いられ、
前記第２のＤＣＩのフィードバック応答情報が前記目標時間ユニットにおいて送信され、前記第２のＤＣＩの送信時間が前記目標時間ユニットの前、又は前記目標時間ユニットと同じである。
【０００５】
第２の形態として、本願の実施例は、情報伝送方法を提供し、
ネットワークデバイスが第１の下り制御シグナリングＤＣＩを送信することと、
前記ネットワークデバイスが第２のＤＣＩを送信することと、
前記ネットワークデバイスが前記第２のＤＣＩの送信時間に基づいて、目標時間ユニットにおいてＰＵＳＣＨで前記第２のＤＣＩのフィードバック応答情報を受信すると確定することとを含み、
前記第１のＤＣＩは、端末が目標時間ユニットにおいて物理上り共有チャネルＰＵＳＣＨで上りデータを送信するようにスケジューリングするために用いられ、前記第２のＤＣＩのフィードバック応答情報が前記目標時間ユニットにおいて送信され、前記第２のＤＣＩの送信時間が前記目標時間ユニットの前、又は前記目標時間ユニットと同じである。
【０００６】
第３の形態として、本願の実施例は、上記の方法で設計された端末の処理を実現する機能を有する端末を提供する。これらの機能は、ハードウェアで実現してもよいし、対応するソフトウェアをハードウェアで実行することで実現してもよい。前記ハードウェア又はソフトウェアは、上述の機能に対応する１つ以上のモジュールを含む。１つの可能な設計では、端末は、上記の方法のそれぞれの機能を実行するようにサポートするように構成されたプロセッサを含む。さらに、端末は、端末とネットワークデバイスとの間の通信をサポートするための送受信機をさらに含み得る。さらに、端末は、端末に必要なプログラム命令およびデータを保持しプロセッサと結合するためのメモリをさらに含むことができる。
【０００７】
第４の形態として、本願の実施例は、上記の方法で設計されたネットワークデバイスの処理を実現する機能を有するネットワークデバイスを提供する。これらの機能は、ハードウェアで実現してもよいし、対応するソフトウェアをハードウェアで実行することで実現してもよい。前記ハードウェア又はソフトウェアは、上述の機能に対応する１つ以上のモジュールを含む。１つの可能な設計では、ネットワークデバイスは、上記の方法のそれぞれの機能を実行するようにサポートするように構成されたプロセッサを含む。さらに、ネットワークデバイスは、ネットワークデバイスと端末との間の通信をサポートするための送受信機をさらに含み得る。さらに、ネットワークデバイスは、ネットワークデバイスに必要なプログラム命令およびデータを保持しプロセッサと結合するためのメモリをさらに含むことができる。
【０００８】
第５の態様として、本願の実施例は、プロセッサと、メモリと、通信インターフェースと、１つまたは複数のプログラムとを含む端末を提供し、１つまたは複数のプログラムは、メモリに記憶され、プロセッサによって実行されるように構成され、プログラムは、本願の実施例の第１の態様のいずれかの方法のステップを実行するための命令を含む。
【０００９】
第６の態様として、本願の実施例は、プロセッサと、メモリと、通信インターフェースと、１つまたは複数のプログラムとを含むネットワークデバイスを提供し、１つまたは複数のプログラムは、メモリに記憶され、プロセッサによって実行されるように構成され、プログラムは、本願の実施例の第２の態様のいずれかの方法のステップを実行するための命令を含む。
【００１０】
第７の態様として、本願の実施例は、電子データ交換のためのコンピュータプログラムを記憶するコンピュータ可読記憶媒体を提供し、前記コンピュータプログラムは、本願の実施例の第１の態様のいずれかに記載の方法のステップの一部又は全部をコンピュータに実行させる。
【００１１】
第８の態様として、本願の実施例は、電子データ交換のためのコンピュータプログラムを記憶するコンピュータ可読記憶媒体を提供し、前記コンピュータプログラムは、本願の実施例の第２の態様のいずれかに記載の方法のステップの一部又は全部をコンピュータに実行させる。
【００１２】
第９の態様では、本願の実施例は、コンピュータプログラムを記憶する非一時的コンピュータ可読記憶媒体を備えるコンピュータプログラム製品を提供し、コンピュータプログラムは、本願の実施例の第１の態様のいずれか１つに記載の方法のステップの一部または全部をコンピュータに実行させるように動作可能である。前記コンピュータプログラムは、ソフトウェアのインストールパッケージであってもよい。
【００１３】
第１０の態様では、本願の実施例は、コンピュータプログラムを記憶する非一時的コンピュータ可読記憶媒体を備えるコンピュータプログラム製品を提供し、コンピュータプログラムは、本願の実施例の第２の態様のいずれか１つに記載の方法のステップの一部または全部をコンピュータに実行させるように動作可能である。前記コンピュータプログラムは、ソフトウェアのインストールパッケージであってもよい。
【００１４】
本願の実施例は、端末が、まず、第１の下り制御シグナリングＤＣＩを受信し、第１のＤＣＩは、端末が目標時間ユニットにおいてＰＵＳＣＨで上りデータを送信するようにスケジューリングするために使用され、次に、第２のＤＣＩを受信し、第２のＤＣＩのフィードバック応答情報が目標時間ユニットにおいて送信され、第２のＤＣＩの送信時間が目標時間ユニットの前又は目標時間ユニットと同じであり、最後に、第２のＤＣＩの送信時間に応じて、目標時間ユニットにおいてＰＵＳＣＨで第２のＤＣＩのフィードバック応答情報を送信すると確定する。第２のＤＣＩの送信時間は、フィードバック応答情報とＰＵＳＣＨ多重伝送を確定することができ、フィードバック応答情報をＰＵＳＣＨで正確に多重伝送することが可能になるので、ネットワークデバイスがフィードバック応答情報の数などの情報を正確に認識できず、正確なデータスケジューリングができないという状況を回避することができ、通信システムのデータスケジューリングの正確性及び安定性を向上させるのに有利である。
【図面の簡単な説明】
【００１５】
以下、本願の実施例について図面を参照して説明する。
【図１】本願の実施例における可能な通信システムのネットワークフレームの構成図である。
【図２】本願の実施例における情報伝送方法のフローチャートである。
【図３】本願の実施例における他の情報伝送方法のフローチャートである。
【図４Ａ】本願の実施例における他の情報伝送方法のフローチャートである。
【図４Ｂ】本願の実施例における情報伝送方法の例である。
【図４Ｃ】本願の実施例における他の情報伝送方法の例である。
【図４Ｄ】本願の実施例における他の情報伝送方法の例である。
【図４Ｅ】本願の実施例における他の情報伝送方法の例である。
【図５】本願の実施例における端末の構成図である。
【図６】本願の実施例におけるネットワークデバイスの構成図である。
【図７】本願の実施例における端末の機能ユニットのブロック図である。
【図８】本願の実施例におけるネットワークデバイスの機能ユニットのブロック図である。
【図９】本願の実施例における他の端末の構成図である。
【発明を実施するための形態】
【００１６】
まず、本願の実施例に関するいくつかの概念と従来の動作方法を簡単に説明する。
【００１７】
第５代移動通信技術( ５ｔｈ−Ｇｅｎｅｒａｔｉｏｎ、５Ｇ ) Ｎｅｗ Ｒａｄｉｏ（ＮＲ )は、第３世代パートナーシッププロジェクト( ３ｒｄ Ｇｅｎｅｒａｔｉｏｎ Ｐａｒｔｎｅｒｓｈｉｐ Ｐｒｏｊｅｃｔ、３ＧＰＰ )団体において新たに提案された課題である。新世代の５Ｇ技術の議論が深刻化してき、通信システムは後の互換性があるため、後に開発される新技術は、以前に標準化された技術に互換性がある傾向がある一方、４Ｇ ＬＴＥ方式は既に多くの既存設計が存在しているため、互換性を達成するためには５Ｇの自由度が多く犠牲となり、性能が低下する。したがって、現在、３ＧＰＰ団体において、２方向の同時研究が行われ、ここで、後の互換性の技術論を考慮しないグループが５Ｇ  ＮＲと呼ばれる。
【００１８】
現在、５Ｇ ＮＲ方式の研究過程でＰＵＣＣＨとＰＵＳＣＨの同時伝送をサポートしない端末の場合、１つのサブフレームで端末が上り制御信号ＵＣＩとＰＵＳＣＨを同時に送信する必要がある場合、ＵＣＩはＰＵＳＣＨを介して伝送する必要がある。周期的なＵＣＩ情報は、基地局と端末が、フィードバック情報の容量と送信時刻を正確に予知することができるため、ＰＵＳＣＨとＵＣＩの伝送性能を保証するために、適切なリソーススケジューリングを行うことができる。確認/非確認ＡＣＫ／ＮＡＣＫ情報については、ＮＲは柔軟なスケジューリング/フィードバックタイミング( ｓｃｈｅｄｕｌｉｎｇ／ＨＡＲＱ ｔｉｍｉｎｇ )をサポートするため、基地局は、図１に示すように、上りグラントＵＬ ｇｒａｎｔ ( ＰＵＣＣＨ )の送信時にＡＣＫ／ＮＡＣＫのフィードバック状況を正確に予知することができず、端末は、時間ユニットｎにおいて、時間ユニットｎ＋ｋにおいてＰＵＳＣＨを送信するようにスケジューリングされた第１の下り制御シグナリングＤＣＩを受信し、端末は、時間ユニットｍ１において、第２の下り制御シグナリングを受信し、第２の下り制御シグナリングに対応する第１のフィードバック応答情報は、時間ユニットｎ＋ｋにおいて送信し、端末は、時間ユニットｍ２において、第３の下り制御シグナリングを受信し、第３の下り制御シグナリングに対応する第２のフィードバック応答情報は、時間ユニットｎ＋ｋにおいて送信し、基地局は柔軟なスケジューリング/フィードバックタイミングをサポートするため、上記第１のフィードバック応答情報と第２のフィードバック応答情報の数などのフィードバックの状況を正確に予知することができず、正確なスケジューリングを実現することができない。この場合に、如何に効率的なＵＣＩ多重化送信を実現するかについては、従来で明確な解決策がない。
【００１９】
本願は、上記問題点に鑑みてなされたものであり、情報伝送方法及び関連製品を提供する。当該方法は、端末が、まず、第１の下り制御シグナリングＤＣＩを受信し、第１のＤＣＩは、端末が目標時間ユニットにおいてＰＵＳＣＨで上りデータを送信するようにスケジューリングするために使用され、次に、第２のＤＣＩを受信し、第２のＤＣＩのフィードバック応答情報が目標時間ユニットにおいて送信され、第２のＤＣＩの送信時間が目標時間ユニットの前又は目標時間ユニットと同じであり、最後に、第２のＤＣＩの送信時間に応じて、目標時間ユニットにおいてＰＵＳＣＨで第２のＤＣＩのフィードバック応答情報を送信すると確定する。第２のＤＣＩの送信時間は、フィードバック応答情報とＰＵＳＣＨ多重伝送を確定することができ、フィードバック応答情報をＰＵＳＣＨで正確に多重伝送することが可能になるので、ネットワークデバイスがフィードバック応答情報の数などの情報を正確に認識できず、正確なデータスケジューリングができないという状況を回避することができ、通信システムのデータスケジューリングの正確性及び安定性を向上させるのに有利である。
【００２０】
以下、本願の実施例について図面を参照して説明する。
【００２１】
図１を参照すると、図１は、本願の実施例によって提供される例示的な通信システムの可能なネットワークアーキテクチャである。この例示的な通信システムは、例えば、５Ｇ  ＮＲシステム、及び他のそのような通信システムであり得る。この通信システムの例は、具体的には、ネットワークデバイスと端末を含み、端末がネットワークデバイスによって提供される移動体通信ネットワークにアクセスする際にネットワークデバイスとの間を無線リンク通信によって接続することができ、この通信接続は、シングル接続又はデュアル接続又はマルチ接続とすることができ、通信接続がシングル接続である場合、ネットワークデバイスはＬＴＥ基地局又はＮＲ基地局( ｇＮＢ基地局とも呼ばれる)であってもよく、通信接続がデュアル接続である場合には(具体的には、キャリアアグリゲーション( Ｃａｒｒｉｅｒ Ａｇｇｒｅｇａｔｉｏｎ、ＣＡ )技術又は複数のネットワークデバイスによって実現することができる)、端末が複数のネットワークデバイスに接続する場合には、複数のネットワークデバイスは、プライマリ基地局ＭＣＧとセカンダリ基地局ＳＣＧであってもよく、バックホールリンク（ｂａｃｋｈａｕｌ）を用いて基地局間でデータの再送を行い、プライマリ基地局がＬＴＥ基地局、セカンダリ基地局がＬＴＥ基地局であってもよいし、また、プライマリ基地局がＮＲ基地局、セカンダリ基地局がＬＴＥ基地局であってもよいし、プライマリ基地局がＮＲ基地局、セカンダリ基地局がＮＲ基地局であってもよい。
【００２２】
本願の実施例において、単語「ネットワーク」および「システム」は、交互に使用され、当業者は、その意味を理解することができる。本願の実施例に係る端末は、無線モデムに接続された、様々なハンドヘルド装置、車載装置、ウェアラブル装置、コンピューティング装置、又は他の処理装置、並びに様々な形態のユーザ装置( Ｕｓｅｒ Ｅｑｕｉｐｍｅｎｔ、ＵＥ )、移動局( Ｍｏｂｉｌｅ Ｓｔａｔｉｏｎ、ＭＳ )、端末デバイス( ｔｅｒｍｉｎａｌ ｄｅｖｉｃｅ )等を含み得る。なお、説明の便宜上、上記の装置を総称して端末と呼ぶ。
【００２３】
図２は、本願の実施例による情報伝送方法であって、上記の通信システム例に適用される方法であり、以下のステップを含む。
【００２４】
２０１において、端末が第１の下り制御シグナリングＤＣＩを受信し、前記第１のＤＣＩは、前記端末が目標時間ユニットにおいて物理上り共有チャネルＰＵＳＣＨで上りデータを送信するようにスケジューリングする。
【００２５】
ここで、前記時間ユニットは、サブフレーム、スロット、シンボルなどの時間領域伝送ユニットであってもよい。
【００２６】
２０２において、前記端末が第２のＤＣＩを受信し、前記第２のＤＣＩのフィードバック応答情報が前記目標時間ユニットにおいて送信され、前記第２のＤＣＩの送信時間が前記目標時間ユニットの前、又は前記目標時間ユニットと同じである。
【００２７】
２０３において、前記端末が前記第２のＤＣＩの送信時間に基づいて、前記目標時間ユニットにおいて前記ＰＵＳＣＨで前記第２のＤＣＩのフィードバック応答情報を送信すると確定する。
【００２８】
このように、本願の実施例において、端末が、まず、第１の下り制御シグナリングＤＣＩを受信し、第１のＤＣＩは、端末が目標時間ユニットにおいてＰＵＳＣＨで上りデータを送信するようにスケジューリングするために使用され、次に、第２のＤＣＩを受信し、第２のＤＣＩのフィードバック応答情報が目標時間ユニットにおいて送信され、第２のＤＣＩの送信時間が目標時間ユニットの前又は目標時間ユニットと同じであり、最後に、第２のＤＣＩの送信時間に応じて、目標時間ユニットにおいてＰＵＳＣＨで第２のＤＣＩのフィードバック応答情報を送信すると確定する。第２のＤＣＩの送信時間は、フィードバック応答情報とＰＵＳＣＨ多重伝送を確定することができ、フィードバック応答情報をＰＵＳＣＨで正確に多重伝送することが可能になるので、ネットワークデバイスがフィードバック応答情報の数などの情報を正確に認識できず、正確なデータスケジューリングができないという状況を回避することができ、通信システムのデータスケジューリングの正確性及び安定性を向上させるのに有利である。
【００２９】
ある可能な実施例において、前記端末が前記第２のＤＣＩの送信時間に基づいて、前記目標時間ユニットにおいて前記ＰＵＳＣＨで前記第２のＤＣＩのフィードバック応答情報を送信すると確定することは、前記端末が、前記第２のＤＣＩの送信時間が前記第１のＤＣＩの送信時間の前、又は前記第１のＤＣＩの送信時間と同じであると確定することと、前記端末が前記第２のＤＣＩのフィードバック応答情報のビット数又は占有リソースに応じて、前記第１のＤＣＩによりスケジューリングされる上りデータに対してレートマッチングを行うことと、前記端末が前記ＰＵＳＣＨでレートマッチングされた前記上りデータ及び前記第２のＤＣＩのフィードバック応答情報を伝送することとを含む。
【００３０】
ここで、レートマッチングｒａｔｅ ｍａｔｃｈｉｎｇ方式とは、ＵＣＩのビット数や占有リソース数に応じて、データコーディングのビット数を決定することをいう。
【００３１】
この例では、ネットワークデバイスは、レートマッチングされたデータ符号化後の比例の数を正確に予測でき、したがって、適切なリソース数および変調符号化レベルを選択するなど、データスケジューリングを正確に行うことができることが分かる。
【００３２】
ある可能な実施例において、前記端末が前記第２のＤＣＩの送信時間に基づいて、前記目標時間ユニットにおいて前記ＰＵＳＣＨで前記第２のＤＣＩのフィードバック応答情報を送信すると確定することは、前記端末が、前記第２のＤＣＩの送信時間が前記第１のＤＣＩの送信時間の後であると確定することと、前記端末が前記第２のＤＣＩのフィードバック応答情報をパンクチャリングにより前記ＰＵＳＣＨに多重して伝送することとを含む。
【００３３】
ここで、パンクチャリングｐｕｎｃｔｕｒｅ方式は、データを符号化してＰＵＳＣＨリソース全体にマッピングする。端末は、ＵＣＩが占有する物理リソースを確定した後、伝送されるデータシンボルをそのまま消し、ＵＣＩシンボルに変換する。ＵＣＩの情報量が多い場合、連続して大量のデータシンボルが消すことになり、データの復調性能に影響を与える。
【００３４】
このように、本例では、ネットワークデバイスは、フィードバック応答情報のためのリソースを確保しておらず、フィードバック応答情報が発生した場合に、リソースの浪費を避けるために、パンクチャリングを用いて多重化して送信する。
【００３５】
ある可能な実施例において、前記第２のＤＣＩが複数のＤＣＩを含み、各ＤＣＩがフィードバック応答情報を有し、前記端末が前記第２のＤＣＩの送信時間に基づいて、前記目標時間ユニットにおいて前記ＰＵＳＣＨで前記第２のＤＣＩのフィードバック応答情報を送信すると確定することは、前記端末が、前記複数のＤＣＩのうちの少なくとも１つのＤＣＩの送信時間が前記第１のＤＣＩの送信時間の後であると確定することと、前記端末が前記複数のＤＣＩのフィードバック応答情報をパンクチャリングにより前記ＰＵＳＣＨに多重して伝送することとを含む。
【００３６】
この例では、複数のＤＣＩのうちのいずれかが前記第１のＤＣＩの送信時間の後に、すべてのフィードバック応答情報を統一的に処理し、異なるフィードバック応答情報が異なる多重化方式を採用することによる実現の複雑さの向上を回避することがわかる。
【００３７】
ある可能な実施例において、前記端末が前記第２のＤＣＩの送信時間に基づいて、前記目標時間ユニットにおいて前記ＰＵＳＣＨで前記第２のＤＣＩのフィードバック応答情報を送信すると確定することは、前記端末が前記第２のＤＣＩの送信時間と目標時間ユニットと又は前記ＰＵＳＣＨ開始位置との時間間隔を確定し、前記端末が前記時間間隔に基づいて、前記目標時間ユニットにおいて前記ＰＵＳＣＨで前記第２のＤＣＩのフィードバック応答情報を送信することとを含む。
【００３８】
ある可能な実施例において、前記端末が前記時間間隔に基づいて、前記目標時間ユニットにおいて前記ＰＵＳＣＨで前記第２のＤＣＩのフィードバック応答情報を送信することは、前記端末が、前記時間間隔が所定の時間間隔の以上であると確定し、前記第２のＤＣＩのフィードバック応答情報のビット数又は占有リソースに基づいて、前記第１のＤＣＩによりスケジューリングされる上りデータに対してレートマッチングを行うことと、前記端末が前記ＰＵＳＣＨでレートマッチングされた前記上りデータ及び前記第２のＤＣＩのフィードバック応答情報を伝送することとを含む。
【００３９】
ここで、前記所定の時間間隔の値は、予め定められたプロトコルによって規定されるか、又は、ネットワークデバイスによって構成されるが、ここで、特に限定されるものではない。前記所定の時間間隔は、前記端末がサポートする上りスケジューリングの最小処理遅延である。
【００４０】
このように、本例では、時間間隔が所定の時間間隔以上である場合、ネットワークデバイスは、レートマッチングされたデータの符号化の比例の数を正確に予測でき、従って、適切なリソース数及び変調符号化レベルを選択するなど、データスケジューリングを正確に行うことができる。
【００４１】
ある可能な実施例において、前記端末が前記時間間隔に基づいて、前記目標時間ユニットにおいて前記ＰＵＳＣＨで前記第２のＤＣＩのフィードバック応答情報を送信することは、前記端末が、前記時間間隔が所定の時間間隔より小さいと確定し、前記第２のＤＣＩのフィードバック応答情報をパンクチャリングにより前記ＰＵＳＣＨに多重して伝送することとを含む。
【００４２】
このように、本例では、時間間隔が所定の時間間隔よりも小さい場合、端末は、フィードバック応答情報の数又は占有リソースに応じてデータのレートマッチング処理を完了することができないため、パンクチャリング処理を行う必要があり、スケジューリングの安定性及びリアルタイム性を高める上で有利である。
【００４３】
ある可能な実施例において、前記第２のＤＣＩが複数のＤＣＩを含み、各ＤＣＩがフィードバック応答情報を有し、前記端末が前記複数の第２のＤＣＩの送信時間に基づいて、前記目標時間ユニットにおいて前記ＰＵＳＣＨで前記第２のＤＣＩのフィードバック応答情報を送信することは、前記端末が、前記複数のＤＣＩのうちの少なくとも１つのＤＣＩの送信時間と前記目標時間ユニットと又は前記ＰＵＳＣＨの開始位置との時間間隔が所定の時間間隔より小さいと確定することと、前記端末が前記複数のＤＣＩのフィードバック応答情報をパンクチャリングにより前記ＰＵＳＣＨに多重して伝送することとを含む。
【００４４】
この例では、複数のＤＣＩのうちのいずれかが前記第１のＤＣＩの送信時間の後に、すべてのフィードバック応答情報を統一的に処理し、異なるフィードバック応答情報が異なる多重化方式を採用することによる実現の複雑さの向上を回避することがわかる。
【００４５】
ある可能な実施例において、前記方法は、さらに、前記端末がネットワークデバイスに前記所定の時間間隔を送信すること、又は、前記端末が前記ネットワークデバイスに前記所定の時間間隔を含む端末レベル情報を送信することを含む。
【００４６】
図２に示す実施例に対応して、図３を参照し、本願の実施例における他の情報伝送方法が上述の例示的な通信システムに適用され、以下のステップを含む。
【００４７】
３０１において、ネットワークデバイスが第１の下り制御シグナリングＤＣＩを送信し、前記第１のＤＣＩは、端末が目標時間ユニットにおいて物理上り共有チャネルＰＵＳＣＨで上りデータを送信するようにスケジューリングするために用いられる。
【００４８】
３０２において、前記ネットワークデバイスが第２のＤＣＩを送信し、前記第２のＤＣＩのフィードバック応答情報が前記目標時間ユニットにおいて送信され、前記第２のＤＣＩの送信時間が前記目標時間ユニットの前、又は前記目標時間ユニットと同じである。
【００４９】
３０３において、前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定する。
【００５０】
このように、本願の実施例において、ネットワークデバイスが、まず、第１の下り制御シグナリングＤＣＩを送信し、第１のＤＣＩは、端末が目標時間ユニットにおいてＰＵＳＣＨで上りデータを送信するようにスケジューリングするために使用され、次に、第２のＤＣＩを送信し、第２のＤＣＩのフィードバック応答情報が目標時間ユニットにおいて送信され、第２のＤＣＩの送信時間が目標時間ユニットの前又は目標時間ユニットと同じであり、最後に、第２のＤＣＩの送信時間に応じて、目標時間ユニットにおいてＰＵＳＣＨで第２のＤＣＩのフィードバック応答情報を受信すると確定する。第２のＤＣＩの送信時間は、フィードバック応答情報とＰＵＳＣＨ多重伝送を確定することができ、フィードバック応答情報をＰＵＳＣＨで正確に多重伝送することが可能になるので、ネットワークデバイスがフィードバック応答情報の数などの情報を正確に認識できず、正確なデータスケジューリングができないという状況を回避することができ、通信システムのデータスケジューリングの正確性及び安定性を向上させるのに有利である。
【００５１】
ある可能な実施例において、前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定することは、前記ネットワークデバイスが、前記第２のＤＣＩの送信時間が前記第１のＤＣＩの送信時間の後、又は前記第１のＤＣＩの送信時間と同じであると確定することと、前記ネットワークデバイスが前記第２のＤＣＩのフィードバック応答情報のビット数又は占有リソースに基づいて、前記第１のＤＣＩによりスケジューリングされる上りデータに対してレートデマッチングを行うことと、前記ネットワークデバイスが前記上りデータ及び前記第２のＤＣＩのフィードバック応答情報を復調することとを含む。
【００５２】
この例では、ネットワークデバイスは、レートマッチングされたデータ符号化後の比例の数を正確に予測でき、したがって、適切なリソース数および変調符号化レベルを選択するなど、データスケジューリングを正確に行うことができることが分かる。
【００５３】
ある可能な実施例において、前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定することは、前記ネットワークデバイスが、前記第２のＤＣＩの送信時間が前記第１のＤＣＩの送信時間の後であると確定することと、前記ネットワークデバイスが、前記第２のＤＣＩのフィードバック応答情報がパンクチャリングにより前記ＰＵＳＣＨに多重されて伝送されると確定することと、前記ネットワークデバイスが前記上りデータ及び前記第２のＤＣＩのフィードバック応答情報を復調することとを含む。
【００５４】
このように、本例では、ネットワークデバイスは、フィードバック応答情報のためのリソースを確保しておらず、フィードバック応答情報が発生した場合に、リソースの浪費を避けるために、パンクチャリングを用いて多重化して送信する。
【００５５】
ある可能な実施例において、前記第２のＤＣＩが複数のＤＣＩを含み、各ＤＣＩがフィードバック応答情報を有し、前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定することは、前記ネットワークデバイスが前記複数のＤＣＩのうちの少なくとも１つのＤＣＩの送信時間が前記第１のＤＣＩの送信時間の後であると確定することと、前記ネットワークデバイスが、前記複数のＤＣＩのフィードバック応答情報がパンクチャリングにより前記ＰＵＳＣＨに多重されて伝送されると確定することと、前記ネットワークデバイスが前記上りデータ及び前記複数のＤＣＩのフィードバック応答情報を復調することとを含む。
【００５６】
この例では、複数のＤＣＩのうちのいずれかが前記第１のＤＣＩの送信時間の後に、すべてのフィードバック応答情報を統一的に処理し、異なるフィードバック応答情報が異なる多重化方式を採用することによる実現の複雑さの向上を回避することがわかる。
【００５７】
ある可能な実施例において、前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定することは、前記ネットワークデバイスが前記第２のＤＣＩの送信時間と目標時間ユニットと又は前記ＰＵＳＣＨ開始位置との時間間隔を確定し、前記ネットワークデバイスが、前記時間間隔に基づいて、前記目標時間ユニットにおいて前記ＰＵＳＣＨで前記第２のＤＣＩのフィードバック応答情報を受信すると確定することとを含む。
【００５８】
ある可能な実施例において、前記ネットワークデバイスが、前記時間間隔に基づいて、前記目標時間ユニットにおいて前記ＰＵＳＣＨで前記第２のＤＣＩのフィードバック応答情報を受信すると確定することは、前記ネットワークデバイスが、前記時間間隔が所定の時間間隔の以上であると確定し、前記第２のＤＣＩのフィードバック応答情報のビット数又は占有リソースに基づいて、前記第１のＤＣＩによりスケジューリングされる上りデータに対してレートデマッチングを行うことと、前記ネットワークデバイスが前記上りデータ及び前記第２のＤＣＩのフィードバック応答情報を復調することとを含む。
【００５９】
このように、本例では、時間間隔が所定の時間間隔以上である場合、ネットワークデバイスは、レートマッチングされたデータの符号化の比例の数を正確に予測でき、従って、適切なリソース数及び変調符号化レベルを選択するなど、データスケジューリングを正確に行うことができる。
【００６０】
ある可能な実施例において、前記ネットワークデバイスが、前記時間間隔に基づいて、前記目標時間ユニットにおいて前記ＰＵＳＣＨで前記第２のＤＣＩのフィードバック応答情報を受信すると確定することは、前記ネットワークデバイスが、前記時間間隔が所定の時間間隔より小さいと確定し、前記第２のＤＣＩのフィードバック応答情報がパンクチャリングにより前記ＰＵＳＣＨに多重されて伝送されると確定することと、前記ネットワークデバイスが前記上りデータ及び前記第２のＤＣＩのフィードバック応答情報を復調することとを含む。
【００６１】
このように、本例では、時間間隔が所定の時間間隔よりも小さい場合、端末は、フィードバック応答情報の数又は占有リソースに応じてデータのレートマッチング処理を完了することができないため、パンクチャリング処理を行う必要があり、スケジューリングの安定性及びリアルタイム性を高める上で有利である。
【００６２】
ある可能な実施例において、前記第２のＤＣＩが複数のＤＣＩを含み、各ＤＣＩがフィードバック応答情報を有し、前記ネットワークデバイスが前記複数の第２のＤＣＩの送信時間に基づいて、前記目標時間ユニットにおいて前記ＰＵＳＣＨで前記第２のＤＣＩのフィードバック応答情報を送信すると確定することは、前記ネットワークデバイスが、前記複数のＤＣＩのうちの少なくとも１つのＤＣＩの送信時間と前記目標時間ユニットと又は前記ＰＵＳＣＨ開始位置との時間間隔が所定の時間間隔より小さいと確定することと、前記ネットワークデバイスが、前記複数のＤＣＩのフィードバック応答情報がパンクチャリングにより前記ＰＵＳＣＨに多重されて伝送されると確定することと、前記ネットワークデバイスが前記上りデータ及び前記複数のＤＣＩのフィードバック応答情報を復調することとを含む。
【００６３】
この例では、複数のＤＣＩのうちのいずれかが前記第１のＤＣＩの送信時間の後に、すべてのフィードバック応答情報を統一的に処理し、異なるフィードバック応答情報が異なる多重化方式を採用することによる実現の複雑さの向上を回避することがわかる。
【００６４】
ある可能な実施例において、前記方法は、さらに、前記ネットワークデバイスが前記端末からの前記所定の時間間隔を受信すること、又は、前記ネットワークデバイスが、前記端末からの前記所定の時間間隔を含む端末レベル情報を受信することを含む。
【００６５】
図２及び図３に示す実施例に対応して、図４Ａを参照し、本願の実施例における他の情報伝送方法が上述の例示的な通信システムに適用され、以下のステップを含む。
【００６６】
４０１において、ネットワークデバイスが第１の下り制御シグナリングＤＣＩを送信し、前記第１のＤＣＩは、端末が目標時間ユニットにおいて物理上り共有チャネルＰＵＳＣＨで上りデータを送信するようにスケジューリングするために用いられる。
【００６７】
４０２において、端末が第１の下り制御シグナリングＤＣＩを受信し、前記第１のＤＣＩは、前記端末が目標時間ユニットにおいて物理上り共有チャネルＰＵＳＣＨで上りデータを送信するようにスケジューリングするために用いられる。
【００６８】
４０３において、前記ネットワークデバイスが第２のＤＣＩを送信し、前記第２のＤＣＩのフィードバック応答情報が前記目標時間ユニットにおいて送信され、前記第２のＤＣＩの送信時間が前記目標時間ユニットの前、又は前記目標時間ユニットと同じである。
【００６９】
４０４において、前記端末が第２のＤＣＩを受信し、前記第２のＤＣＩのフィードバック応答情報が前記目標時間ユニットにおいて送信され、前記第２のＤＣＩの送信時間が前記目標時間ユニットの前、又は前記目標時間ユニットと同じである。
【００７０】
４０５において、前記端末が前記第２のＤＣＩの送信時間に基づいて、前記目標時間ユニットにおいて前記ＰＵＳＣＨで前記第２のＤＣＩのフィードバック応答情報を送信すると確定する。
【００７１】
４０６において、前記ネットワークデバイスが前記第２のＤＣＩの送信時間に基づいて、前記目標時間ユニットにおいて前記ＰＵＳＣＨで前記第２のＤＣＩのフィードバック応答情報を受信すると確定する。
【００７２】
このように、本願の実施例において、ネットワークデバイスが、まず、第１の下り制御シグナリングＤＣＩを送信し、第１のＤＣＩは、端末が目標時間ユニットにおいてＰＵＳＣＨで上りデータを送信するようにスケジューリングするために使用され、次に、第２のＤＣＩを送信し、第２のＤＣＩのフィードバック応答情報が目標時間ユニットにおいて送信され、第２のＤＣＩの送信時間が目標時間ユニットの前又は目標時間ユニットと同じであり、最後に、第２のＤＣＩの送信時間に応じて、目標時間ユニットにおいてＰＵＳＣＨで第２のＤＣＩのフィードバック応答情報を受信すると確定する。第２のＤＣＩの送信時間は、フィードバック応答情報とＰＵＳＣＨ多重伝送を確定することができ、フィードバック応答情報をＰＵＳＣＨで正確に多重伝送することが可能になるので、ネットワークデバイスがフィードバック応答情報の数などの情報を正確に認識できず、正確なデータスケジューリングができないという状況を回避することができ、通信システムのデータスケジューリングの正確性及び安定性を向上させるのに有利である。
【００７３】
以下、具体的な応用シーンを参照して、本願の実施例をさらに説明する。
【００７４】
図４Ｂに示されるように、例えば、端末がスマートフォンであり、ネットワークデバイスが５Ｇ ＮＲ通信システムにおける基地局ｇＮＢであり、時間ユニットがスロットであり、ｇＮＢがスロットｎにおいて端末に第１のＤＣＩを送信し、第１のＤＣＩは、上りデータがスロットｎ＋ｋにおいてＰＵＳＣＨにより伝送されるようにスケジューリングするために用いられ、ｇＮＢがスロットｍ１において端末に第２のＤＣＩ１を送信し、第２のＤＣＩ１が下りスケジューリングに使用され、対応するフィードバック応答情報がＡＣＫ／ＮＡＣＫ情報であり、ｇＮＢがスロットｍ２において端末に第２のＤＣＩ２を送信し、第２のＤＣＩ２が下りスケジューリングに使用され、対応するフィードバック応答情報がＡＣＫ／ＮＡＣＫ情報であり、第２のＤＣＩ１および第２のＤＣＩ２のフィードバック応答情報がともにスロットｎ＋ｋにおいてＰＵＳＣＨにより伝送される。端末は、上記第１のＤＣＩ、第２のＤＣＩ１および第２のＤＣＩ２を受信した後、第２のＤＣＩ１のスロットｍ１が第１のＤＣＩのスロットｎの前であると確定し、第２のＤＣＩ１のフィード応答情報のビット数または占有リソースに応じて、第１のＤＣＩがスケジューリングする上りデータをレートマッチングし、第２のＤＣＩ２のスロットｍ２が第１のＤＣＩのスロットｎの後であると確定し、上記ＰＵＳＣＨによりレートマッチングした上りデータと第２のＤＣＩ１のフィードバック応答情報を伝送し、第２のＤＣＩのフィードバック応答情報を、パンクチャリングにより上記ＰＵＳＣＨに多重して伝送する。
【００７５】
図４Ｃに示されるように、例えば、端末がスマートフォンであり、ネットワークデバイスが５Ｇ ＮＲ通信システムにおける基地局ｇＮＢであり、時間ユニットがスロットであり、ｇＮＢがスロットｎにおいて端末に第１のＤＣＩを送信し、第１のＤＣＩは、上りデータがスロットｎ＋ｋにおいてＰＵＳＣＨにより伝送されるようにスケジューリングするために用いられ、ｇＮＢがスロットｍ１において端末に第２のＤＣＩ１を送信し、第２のＤＣＩ１が下りスケジューリングに使用され、対応するフィードバック応答情報がＡＣＫ／ＮＡＣＫ情報であり、ｇＮＢがスロットｍ２において端末に第２のＤＣＩ２を送信し、第２のＤＣＩ２が下りスケジューリングに使用され、対応するフィードバック応答情報がＡＣＫ／ＮＡＣＫ情報であり、第２のＤＣＩ１および第２のＤＣＩ２のフィードバック応答情報がともにスロットｎ＋ｋにおいてＰＵＳＣＨにより伝送される。端末は、上記第１のＤＣＩ、第２のＤＣＩ１及び第２のＤＣＩ２を受信した後、第２のＤＣＩ１及び第２のＤＣＩ２のうち第２のＤＣＩ２のスロットｍ２が第１のＤＣＩのスロットｎより後であることを確定すると、第２のＤＣＩ１及び第２のＤＣＩ２のフィードバック応答情報をパンクチャリングにより前記ＰＵＳＣＨに多重して伝送する。
【００７６】
図４Ｄに示されるように、例えば、端末がスマートフォンであり、ネットワークデバイスが５Ｇ ＮＲ通信システムにおける基地局ｇＮＢであり、時間ユニットがスロットであり、ｇＮＢがスロットｎにおいて端末に第１のＤＣＩを送信し、第１のＤＣＩは、上りデータがスロットｎ＋ｋにおいてＰＵＳＣＨにより伝送されるようにスケジューリングするために用いられ、ｇＮＢがスロットｍ１において端末に第２のＤＣＩ１を送信し、第２のＤＣＩ１が下りスケジューリングのために使用され、対応するフィードバック応答情報がＡＣＫ／ＮＡＣＫ情報であり、ｇＮＢがスロットｍ２において端末に第２のＤＣＩ２を送信し、第２のＤＣＩ２が下りスケジューリングのために使用され、対応するフィードバック応答情報がＡＣＫ／ＮＡＣＫ情報であり、ｇＮＢがスロットｍ３において端末に第２のＤＣＩ３を送信し、第２のＤＣＩ３が下りスケジューリングのために使用され、対応するフィードバック応答情報がＡＣＫ／ＮＡＣＫ情報であり、第２のＤＣＩ１、第２のＤＣＩ２および第２のＤＣＩ３のフィードバック応答情報が、スロットｎ＋ｋにおいてＰＵＳＣＨにより伝送され、所定の時間間隔は２つのスロットである。端末が、上記第１のＤＣＩ、第２のＤＣＩ１、第２のＤＣＩ２、および第２のＤＣＩ３を受信した後、第２のＤＣＩ１のスロットｍ１とスロットｎ＋ｋの時間間隔が５つのスロット、第２のＤＣＩ２のスロットｍ２とスロットｎ＋ｋの時間間隔がつの２スロット、第２のＤＣＩ３のスロットｍ３とスロットｎ＋ｋの時間間隔が１スロットと確定すると、端末は、さらに、第２のＤＣＩ１と第２のＤＣＩ２のフィードバック応答情報のビット数または占有リソースに応じて、第１のＤＣＩがスケジューリングした上りデータに対してレートマッチングを行い、第２のＤＣＩ３のフィードバック応答情報をパンクチャリングにより前記ＰＵＳＣＨに多重して伝送し、レートマッチング後の上りデータと第２のＤＣＩ１と第２のＤＣＩ２のフィードバック応答情報を上記ＰＵＳＣＨで伝送する。
【００７７】
図４Ｅに示されるように、例えば、端末がスマートフォンであり、ネットワークデバイスが５Ｇ ＮＲ通信システムにおける基地局ｇＮＢであり、時間ユニットがスロットであり、ｇＮＢがスロットｎにおいて端末に第１のＤＣＩを送信し、第１のＤＣＩは、上りデータがスロットｎ＋ｋにおいてＰＵＳＣＨにより送信されるようにスケジューリングするために用いられ、ｇＮＢがスロットｍ１において端末に第２のＤＣＩ１を送信し、第２のＤＣＩ１が下りスケジューリングのために使用され、対応するフィードバック応答情報がＡＣＫ／ＮＡＣＫ情報であり、ｇＮＢがスロットｍ２において端末に第２のＤＣＩ２を送信し、第２のＤＣＩ２が下りスケジューリングのために使用され、対応するフィードバック応答情報がＡＣＫ／ＮＡＣＫ情報であり、ｇＮＢがスロットｍ３において端末に第２のＤＣＩ３を送信し、第２のＤＣＩ３が下りスケジューリングのために使用され、対応するフィードバック応答情報がＡＣＫ／ＮＡＣＫ情報であり、第２のＤＣＩ１、第２のＤＣＩ２および第２のＤＣＩ３のフィードバック応答情報が、スロットｎ＋ｋにおいてＰＵＳＣＨにより送信され、所定の時間間隔は２つのスロットである。端末が、上記第１のＤＣＩ、第２のＤＣＩ１、第２のＤＣＩ２及び第２のＤＣＩ３を受信した後、第２のＤＣＩ１、第２のＤＣＩ２及び第２のＤＣＩ３のうち第２のＤＣＩ３のスロットｍ３とスロットｎ＋ｋとの時間間隔が２つのロット未満であることを特定すると、端末は、第２のＤＣＩ１、第２のＤＣＩ２及び第２のＤＣＩ３のフィードバック応答情報をパンクチャリングにより前記ＰＵＳＣＨに多重して伝送する。
【００７８】
上述の実施例と一致する図５を参照すると、図５は、本願の実施例によって提供される端末の構成図であり、プロセッサ、メモリ、通信インターフェース、及び、１つ以上のプログラムを含み、ここで、１つ以上のプログラムは、メモリに記憶され、プロセッサによって実行され、前記プログラムは、以下のステップを実行するための命令を含む。
【００７９】
第１の下り制御シグナリングＤＣＩを受信し、前記第１のＤＣＩは、前記端末が目標時間ユニットにおいて物理上り共有チャネルＰＵＳＣＨで上りデータを送信するようにスケジューリングするために用いられ、
第２のＤＣＩを受信し、前記第２のＤＣＩのフィードバック応答情報が前記目標時間ユニットにおいて送信され、前記第２のＤＣＩの送信時間が前記目標時間ユニットの前、又は前記目標時間ユニットと同じであり、
前記第２のＤＣＩの送信時間に基づいて、前記目標時間ユニットにおいて前記ＰＵＳＣＨで前記第２のＤＣＩのフィードバック応答情報を送信すると確定する。
【００８０】
このように、本願の実施例において、端末が、まず、第１の下り制御シグナリングＤＣＩを受信し、第１のＤＣＩは、端末が目標時間ユニットにおいてＰＵＳＣＨで上りデータを送信するようにスケジューリングするために使用され、次に、第２のＤＣＩを受信し、第２のＤＣＩのフィードバック応答情報が目標時間ユニットにおいて送信され、第２のＤＣＩの送信時間が目標時間ユニットの前又は目標時間ユニットと同じであり、最後に、第２のＤＣＩの送信時間に応じて、目標時間ユニットにおいてＰＵＳＣＨで第２のＤＣＩのフィードバック応答情報を送信すると確定する。第２のＤＣＩの送信時間は、フィードバック応答情報とＰＵＳＣＨ多重伝送を確定することができ、フィードバック応答情報をＰＵＳＣＨで正確に多重伝送することが可能になるので、ネットワークデバイスがフィードバック応答情報の数などの情報を正確に認識できず、正確なデータスケジューリングができないという状況を回避することができ、通信システムのデータスケジューリングの正確性及び安定性を向上させるのに有利である。
【００８１】
ある可能な実施例において、前記第２のＤＣＩの送信時間に基づいて、前記目標時間ユニットにおいて前記ＰＵＳＣＨで前記第２のＤＣＩのフィードバック応答情報を送信すると確定することについて、前記プログラムの命令により、前記第２のＤＣＩの送信時間が前記第１のＤＣＩの送信時間の前、又は前記第１のＤＣＩの送信時間と同じであると確定し、前記第２のＤＣＩのフィードバック応答情報のビット数又は占有リソースに基づいて、前記第１のＤＣＩによりスケジューリングされる上りデータに対してレートマッチングを行い、前記ＰＵＳＣＨでレートマッチングされた前記上りデータと前記第２のＤＣＩのフィードバック応答情報を伝送する。
【００８２】
ある可能な実施例において、前記第２のＤＣＩの送信時間に基づいて、前記目標時間ユニットにおいて前記ＰＵＳＣＨで前記第２のＤＣＩのフィードバック応答情報を送信すると確定することについて、前記プログラムの命令により、前記第２のＤＣＩの送信時間が前記第１のＤＣＩの送信時間の後であると確定し、前記第２のＤＣＩのフィードバック応答情報をパンクチャリングにより前記ＰＵＳＣＨ中に多重して伝送する。
【００８３】
ある可能な実施例において、前記第２のＤＣＩが複数のＤＣＩを含み、各ＤＣＩがフィードバック応答情報を有し、前記第２のＤＣＩの送信時間に基づいて、前記目標時間ユニットにおいて前記ＰＵＳＣＨで前記第２のＤＣＩのフィードバック応答情報を送信すると確定することについて、前記プログラムの命令により、前記複数のＤＣＩのうちの少なくとも１つのＤＣＩの送信時間が前記第１のＤＣＩの送信時間の後であると確定し、前記複数のＤＣＩのフィードバック応答情報をパンクチャリングにより前記ＰＵＳＣＨに多重して伝送する。
【００８４】
ある可能な実施例において、前記第２のＤＣＩの送信時間に基づいて、前記目標時間ユニットにおいて前記ＰＵＳＣＨで前記第２のＤＣＩのフィードバック応答情報を送信すると確定することについて、前記プログラムの命令により、前記第２のＤＣＩの送信時間と目標時間ユニットと又は前記ＰＵＳＣＨ開始位置との時間間隔を確定し、前記時間間隔に基づいて、前記目標時間ユニットにおいて前記ＰＵＳＣＨで前記第２のＤＣＩのフィードバック応答情報を送信すると確定する。
【００８５】
ある可能な実施例において、前記時間間隔に基づいて、前記目標時間ユニットにおいて前記ＰＵＳＣＨで前記第２のＤＣＩのフィードバック応答情報を送信すると確定することについて、前記プログラムの命令により、前記時間間隔が所定の時間間隔の以上であると確定し、前記第２のＤＣＩのフィードバック応答情報のビット数又は占有リソースに基づいて、前記第１のＤＣＩによりスケジューリングされる上りデータに対してレートマッチングを行い、前記ＰＵＳＣＨでレートマッチングされた前記上りデータと前記第２のＤＣＩのフィードバック応答情報を伝送する。
【００８６】
ある可能な実施例において、前記時間間隔に基づいて、前記目標時間ユニットにおいて前記ＰＵＳＣＨで前記第２のＤＣＩのフィードバック応答情報を送信すると確定することについて、前記プログラムの命令により、前記時間間隔が所定の時間間隔より小さいと確定し、前記第２のＤＣＩのフィードバック応答情報をパンクチャリングにより前記ＰＵＳＣＨに多重して伝送する。
【００８７】
ある可能な実施例において、前記第２のＤＣＩが複数のＤＣＩを含み、各ＤＣＩがフィードバック応答情報を有し、前記複数の第２のＤＣＩの送信時間に基づいて、前記目標時間ユニットにおいて前記ＰＵＳＣＨで前記第２のＤＣＩのフィードバック応答情報を送信すると確定することについて、前記プログラムの命令により、前記複数のＤＣＩのうちの少なくとも１つのＤＣＩの送信時間と前記目標時間ユニットと又は前記ＰＵＳＣＨ開始位置との時間間隔が所定の時間間隔より小さいと確定し、前記複数のＤＣＩのフィードバック応答情報をパンクチャリングにより前記ＰＵＳＣＨに多重して伝送する。
【００８８】
ある可能な実施例において、前記プログラムは、ネットワークデバイスに前記所定の時間間隔、又は、前記所定の時間間隔を含む端末レベル情報を送信する命令を含む。
【００８９】
上述の実施例と一致する図６を参照すると、図６は、本願の実施例によって提供されるネットワークデバイスの構成図であり、プロセッサ、メモリ、送受信機、及び、１つ以上のプログラムを含み、ここで、１つ以上のプログラムは、メモリに記憶され、プロセッサによって実行され、前記プログラムは、以下のステップを実行するための命令を含む。
【００９０】
第１の下り制御シグナリングＤＣＩを送信し、前記第１のＤＣＩは、端末が目標時間ユニットにおいて物理上り共有チャネルＰＵＳＣＨで上りデータを送信するようにスケジューリングするために用いられ、
第２のＤＣＩを送信し、前記第２のＤＣＩのフィードバック応答情報が前記目標時間ユニットにおいて送信され、前記第２のＤＣＩの送信時間が前記目標時間ユニットの前、又は前記目標時間ユニットと同じであり、
前記第２のＤＣＩの送信時間に基づいて、前記目標時間ユニットにおいて前記ＰＵＳＣＨで前記第２のＤＣＩのフィードバック応答情報を受信すると確定する。
【００９１】
このように、本願の実施例において、ネットワークデバイスが、まず、第１の下り制御シグナリングＤＣＩを送信し、第１のＤＣＩは、端末が目標時間ユニットにおいてＰＵＳＣＨで上りデータを送信するようにスケジューリングするために使用され、次に、第２のＤＣＩを送信し、第２のＤＣＩのフィードバック応答情報が目標時間ユニットにおいて送信され、第２のＤＣＩの送信時間が目標時間ユニットの前又は目標時間ユニットと同じであり、最後に、第２のＤＣＩの送信時間に応じて、目標時間ユニットにおいてＰＵＳＣＨで第２のＤＣＩのフィードバック応答情報を受信すると確定する。第２のＤＣＩの送信時間は、フィードバック応答情報とＰＵＳＣＨ多重伝送を確定することができ、フィードバック応答情報をＰＵＳＣＨで正確に多重伝送することが可能になるので、ネットワークデバイスがフィードバック応答情報の数などの情報を正確に認識できず、正確なデータスケジューリングができないという状況を回避することができ、通信システムのデータスケジューリングの正確性及び安定性を向上させるのに有利である。
【００９２】
ある可能な実施例において、前記第２のＤＣＩの送信時間に基づいて、前記目標時間ユニットにおいて前記ＰＵＳＣＨで前記第２のＤＣＩのフィードバック応答情報を受信すると確定することについて、前記プログラムの命令により、前記第２のＤＣＩの送信時間が前記第１のＤＣＩの送信時間の後、又は前記第１のＤＣＩの送信時間と同じであると確定し、前記第２のＤＣＩのフィードバック応答情報のビット数又は占有リソースに基づいて、前記第１のＤＣＩによりスケジューリングされる上りデータに対してレートデマッチングを行い、前記上りデータと前記第２のＤＣＩのフィードバック応答情報を復調する。
【００９３】
ある可能な実施例において、前記第２のＤＣＩの送信時間に基づいて、前記目標時間ユニットにおいて前記ＰＵＳＣＨで前記第２のＤＣＩのフィードバック応答情報を受信すると確定することについて、前記プログラムの命令により、前記第２のＤＣＩの送信時間が前記第１のＤＣＩの送信時間の後であると確定し、前記第２のＤＣＩのフィードバック応答情報がパンクチャリングにより前記ＰＵＳＣＨに多重されて伝送されると確定し、前記上りデータと前記第２のＤＣＩのフィードバック応答情報を復調する。
【００９４】
ある可能な実施例において、前記第２のＤＣＩが複数のＤＣＩを含み、各ＤＣＩがフィードバック応答情報を有し、前記第２のＤＣＩの送信時間に基づいて、前記目標時間ユニットにおいて前記ＰＵＳＣＨで前記第２のＤＣＩのフィードバック応答情報を受信すると確定することについて、前記プログラムの命令により、前記複数のＤＣＩのうちの少なくとも１つのＤＣＩの送信時間が前記第１のＤＣＩの送信時間の後であると確定し、前記複数のＤＣＩのフィードバック応答情報がパンクチャリングにより前記ＰＵＳＣＨに多重して伝送すると確定し、前記上りデータと前記複数のＤＣＩのフィードバック応答情報を復調する。
【００９５】
ある可能な実施例において、前記第２のＤＣＩの送信時間に基づいて、前記目標時間ユニットにおいて前記ＰＵＳＣＨで前記第２のＤＣＩのフィードバック応答情報を受信すると確定することについて、前記プログラムの命令により、前記第２のＤＣＩの送信時間と目標時間ユニットと又は前記ＰＵＳＣＨ開始位置との時間間隔を確定し、前記時間間隔に基づいて、前記目標時間ユニットにおいて前記ＰＵＳＣＨで前記第２のＤＣＩのフィードバック応答情報を受信すると確定する。
【００９６】
ある可能な実施例において、前記時間間隔に基づいて、前記目標時間ユニットにおいて前記ＰＵＳＣＨで前記第２のＤＣＩのフィードバック応答情報を受信すると確定することについて、前記プログラムの命令により、前記時間間隔が所定の時間間隔の以上であると確定し、前記第２のＤＣＩのフィードバック応答情報のビット数又は占有リソースに基づいて、前記第１のＤＣＩによりスケジューリングされる上りデータに対してレートデマッチングを行い、前記上りデータ及び前記第２のＤＣＩのフィードバック応答情報を復調する。
【００９７】
ある可能な実施例において、前記時間間隔に基づいて、前記目標時間ユニットにおいて前記ＰＵＳＣＨで前記第２のＤＣＩのフィードバック応答情報を受信すると確定することについて、前記プログラムの命令により、前記時間間隔が所定の時間間隔より小さいと確定し、前記第２のＤＣＩのフィードバック応答情報がパンクチャリングにより前記ＰＵＳＣＨに多重して伝送すると確定し、前記上りデータ及び前記第２のＤＣＩのフィードバック応答情報を復調する。
【００９８】
ある可能な実施例において、前記第２のＤＣＩが複数のＤＣＩを含み、各ＤＣＩがフィードバック応答情報を有し、前記複数の第２のＤＣＩの送信時間に基づいて、前記目標時間ユニットにおいて前記ＰＵＳＣＨで前記第２のＤＣＩのフィードバック応答情報を送信すると確定することについて、前記プログラムの命令により、前記複数のＤＣＩのうちの少なくとも１つのＤＣＩの送信時間が前記目標時間ユニットと又は前記ＰＵＳＣＨ開始位置との時間間隔が所定の時間間隔より小さいと確定し、前記複数のＤＣＩのフィードバック応答情報がパンクチャリングにより前記ＰＵＳＣＨに多重して伝送すると確定し、前記上りデータと前記複数のＤＣＩのフィードバック応答情報を復調する。
【００９９】
ある可能な実施例において、前記プログラムは、さらに、前記端末からの前記所定の時間間隔を受信し、又は、前記端末からの前記所定の時間間隔を含む端末レベル情報を受信する命令を含む。
【０１００】
以上、主に各ネットワークエンティティ間のインタラクションという観点から本願の実施例の仕組みを紹介した。端末及びネットワークデバイスは、上記機能を実現するために、それぞれの機能を実行するためのハードウェア構成及び/又はソフトウェアモジュールを含むことが理解されよう。当業者は、本明細書に開示される実施例に関連して説明される様々な例のユニットおよびアルゴリズムステップが、ハードウェアまたはハードウェアとコンピュータソフトウェアとの組合せの形態で本開示が実施され得ることを容易に認識するであろう。ある機能がハードウェアで実行されるか、コンピュータソフトウェアによりハードウェアで実行されるかは、特許請求の範囲の特定のアプリケーション及び設計制約に依存する。当業者は、説明された機能を実施するために、特定のアプリケーションごとに異なる方法を使用することができるが、そのような実施は、本開示の範囲を超えると考えられるべきではない。
【０１０１】
本願の実施例は、上記の方法例に従って端末及びネットワークデバイスを機能ユニットに分割してもよく、例えば、各機能ユニットを各機能に応じて分割してもよく、２つ以上の機能を１つの処理ユニットに統合してもよい。上記の統合されたユニットは、ハードウェアの形態で実現されてもよいし、ソフトウェアプログラムモジュールの形態で実現されてもよい。なお、本願の実施例におけるユニットの分割は模式的なものであり、一の論理的な機能分割のみのものであり、実際の実現には別の分割形態があり得る。
【０１０２】
集積のユニットを用いる場合、図７は、上記実施例に係る端末デバイスの機能的な構成を示すブロック図である。端末７００は、処理ユニット７０２と、通信ユニット７０３とを有する。処理ユニット７０２は、端末の動作を制御管理するために使用され、例えば、処理ユニット７０２は、図２のステップ２０２-２０５、図４Ａのステップ４０２、４０４-４０７、及び/又は本明細書に記載される技術のための他のプロセスを実行する端末をサポートするために使用される。通信ユニット７０３は、端末と他の装置との通信、例えば図６に示すネットワークデバイスとの通信をサポートするためのものである。端末は、端末のプログラムコード及びデータを記憶するための記憶ユニット７０１を更に含むことができる。
【０１０３】
ここで、処理ユニット７０２は、プロセッサ又はコントローラであってよく、例えば、中央処理装置( Ｃｅｎｔｒａｌ Ｐｒｏｃｅｓｓｉｎｇ Ｕｎｉｔ、ＣＰＵ )、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット７０３は、送受信機、送受信回路などであり、記憶ユニット７０１は、メモリなどである。
【０１０４】
ここで、前記処理ユニット７０２は、前記通信ユニット７０３を介して第１の下り制御シグナリングＤＣＩを受信し、前記第１のＤＣＩは、前記端末が目標時間ユニットにおいて物理上り共有チャネルＰＵＳＣＨで上りデータを送信するようにスケジューリングするために用いられ、前記通信ユニット７０３を介して第２のＤＣＩを受信し、前記第２のＤＣＩのフィードバック応答情報が前記目標時間ユニットにおいて送信され、前記第２のＤＣＩの送信時間が前記目標時間ユニットの前、又は前記目標時間ユニットと同じであり、前記第２のＤＣＩの送信時間に基づいて、前記目標時間ユニットにおいて前記ＰＵＳＣＨで前記第２のＤＣＩのフィードバック応答情報を送信すると確定するように構成される。
【０１０５】
ある可能な実施例において、前記第２のＤＣＩの送信時間に基づいて、前記目標時間ユニットにおいて前記ＰＵＳＣＨで前記第２のＤＣＩのフィードバック応答情報を送信すると確定することについて、前記処理ユニット７０２は、具体的に、前記第２のＤＣＩの送信時間が前記第１のＤＣＩの送信時間の前、又は前記第１のＤＣＩの送信時間と同じであると確定し、前記第２のＤＣＩのフィードバック応答情報のビット数又は占有リソースに基づいて、前記第１のＤＣＩによりスケジューリングされる上りデータに対してレートマッチングを行い、前記ＰＵＳＣＨでレートマッチングされた前記上りデータと前記第２のＤＣＩのフィードバック応答情報を伝送するように構成される。
【０１０６】
ある可能な実施例において、前記第２のＤＣＩの送信時間に基づいて、前記目標時間ユニットにおいて前記ＰＵＳＣＨで前記第２のＤＣＩのフィードバック応答情報を送信すると確定することについて、前記処理ユニット７０２は、具体的に、前記第２のＤＣＩの送信時間が前記第１のＤＣＩの送信時間の後であると確定し、前記第２のＤＣＩのフィードバック応答情報をパンクチャリングにより前記ＰＵＳＣＨ中に多重して伝送するように構成される。
【０１０７】
ある可能な実施例において、前記第２のＤＣＩが複数のＤＣＩを含み、各ＤＣＩがフィードバック応答情報を有し、前記第２のＤＣＩの送信時間に基づいて、前記目標時間ユニットにおいて前記ＰＵＳＣＨで前記第２のＤＣＩのフィードバック応答情報を送信すると確定することについて、前記処理ユニット７０２は、具体的に、前記複数のＤＣＩのうちの少なくとも１つのＤＣＩの送信時間が前記第１のＤＣＩの送信時間の後であると確定し、前記複数のＤＣＩのフィードバック応答情報をパンクチャリングにより前記ＰＵＳＣＨに多重して伝送するように構成される。
【０１０８】
ある可能な実施例において、前記第２のＤＣＩの送信時間に基づいて、前記目標時間ユニットにおいて前記ＰＵＳＣＨで前記第２のＤＣＩのフィードバック応答情報を送信すると確定することについて、前記処理ユニット７０２は、具体的に、前記第２のＤＣＩの送信時間と目標時間ユニットと又は前記ＰＵＳＣＨ開始位置との時間間隔を確定し、前記時間間隔に基づいて、前記目標時間ユニットにおいて前記ＰＵＳＣＨで前記第２のＤＣＩのフィードバック応答情報を送信すると確定するように構成される。
【０１０９】
ある可能な実施例において、前記時間間隔に基づいて、前記目標時間ユニットにおいて前記ＰＵＳＣＨで前記第２のＤＣＩのフィードバック応答情報を送信することについて、前記処理ユニット７０２は、具体的に、前記時間間隔が所定の時間間隔の以上であると確定し、前記第２のＤＣＩのフィードバック応答情報のビット数又は占有リソースに基づいて、前記第１のＤＣＩによりスケジューリングされる上りデータに対してレートマッチングを行い、前記ＰＵＳＣＨでレートマッチングされた前記上りデータと前記第２のＤＣＩのフィードバック応答情報を伝送するように構成される。
【０１１０】
ある可能な実施例において、前記時間間隔に基づいて、前記目標時間ユニットにおいて前記ＰＵＳＣＨで前記第２のＤＣＩのフィードバック応答情報を送信することについて、前記処理ユニット７０２は、具体的に、前記時間間隔が所定の時間間隔より小さいと確定し、前記第２のＤＣＩのフィードバック応答情報をパンクチャリングにより前記ＰＵＳＣＨに多重して伝送するように構成される。
【０１１１】
ある可能な実施例において、前記第２のＤＣＩが複数のＤＣＩを含み、各ＤＣＩがフィードバック応答情報を有し、前記複数の第２のＤＣＩの送信時間に基づいて、前記目標時間ユニットにおいて前記ＰＵＳＣＨで前記第２のＤＣＩのフィードバック応答情報を送信すると確定することについて、前記処理ユニット７０２は、具体的に、前記複数のＤＣＩのうちの少なくとも１つのＤＣＩの送信時間と前記目標時間ユニットと又は前記ＰＵＳＣＨ開始位置との時間間隔が所定の時間間隔より小さいと確定し、前記複数のＤＣＩのフィードバック応答情報をパンクチャリングにより前記ＰＵＳＣＨに多重して伝送するように構成される。
【０１１２】
ある可能な実施例において、前記プログラムは、ネットワークデバイスに前記所定の時間間隔、又は、前記所定の時間間隔を含む端末レベル情報を送信する命令を含む。
【０１１３】
処理ユニット７０２がプロセッサであり、通信ユニット７０３が通信インターフェースであり、記憶ユニット７０１がメモリである場合、本願の実施例に係る端末は、図５に示す端末であってもよい。
【０１１４】
集積のユニットを用いた場合、図８は、上記実施例に係るネットワークデバイスの機能的なユニット構成を示すブロック図である。ネットワークデバイス８００は、処理ユニット８０２と、通信ユニット８０３とを備える。処理ユニット８０２は、ネットワークデバイスの動作を制御管理するために使用され、例えば、処理ユニット８０２は、図３のステップ３０１−３０３、図４Ａの４０１、４０３、４０８、及び/又は本明細書に記載される技術のための他のプロセスを実行するネットワークデバイスをサポートするために使用される。通信ユニット８０３は、ネットワークデバイスと他の機器、例えば図５に示す端末との通信をサポートするためのものである。また、ネットワークデバイスは、そのプログラムコード及びデータを記憶する記憶ユニット８０１を有していてもよい。
【０１１５】
ここで、処理ユニット８０２は、プロセッサ又はコントローラであってよく、通信ユニット８０３は、送受信機、送受信回路、無線周波数チップ等であってよく、記憶ユニット８０１は、メモリであってよい。
【０１１６】
ここで、前記処理ユニット８０２は、前記通信ユニット８０３を介して第１の下り制御シグナリングＤＣＩを送信するように構成され、前記第１のＤＣＩは、端末が目標時間ユニットにおいて物理上り共有チャネルＰＵＳＣＨで上りデータを送信するようにスケジューリングするために用いられ、前記通信ユニット８０３を介して第２のＤＣＩを送信し、前記第２のＤＣＩのフィードバック応答情報が前記目標時間ユニットにおいて送信され、前記第２のＤＣＩの送信時間が前記目標時間ユニットの前、又は前記目標時間ユニットと同じであり、前記第２のＤＣＩの送信時間に基づいて、前記目標時間ユニットにおいて前記ＰＵＳＣＨで前記第２のＤＣＩのフィードバック応答情報を受信すると確定するように構成される。
【０１１７】
ある可能な実施例において、前記第２のＤＣＩの送信時間に基づいて、前記目標時間ユニットにおいて前記ＰＵＳＣＨで前記第２のＤＣＩのフィードバック応答情報を受信すると確定することについて、前記処理ユニット８０２は、具体的に、前記第２のＤＣＩの送信時間が前記第１のＤＣＩの送信時間の後、又は前記第１のＤＣＩの送信時間と同じであると確定し、前記第２のＤＣＩのフィードバック応答情報のビット数又は占有リソースに基づいて、前記第１のＤＣＩによりスケジューリングされる上りデータに対してレートデマッチングを行い、前記上りデータと前記第２のＤＣＩのフィードバック応答情報を復調するように構成される。
【０１１８】
ある可能な実施例において、前記第２のＤＣＩの送信時間に基づいて、前記目標時間ユニットにおいて前記ＰＵＳＣＨで前記第２のＤＣＩのフィードバック応答情報を受信すると確定することについて、前記処理ユニット８０２は、具体的に、前記第２のＤＣＩの送信時間が前記第１のＤＣＩの送信時間の後であると確定し、前記第２のＤＣＩのフィードバック応答情報がパンクチャリングにより前記ＰＵＳＣＨに多重されて伝送されると確定し、前記上りデータと前記第２のＤＣＩのフィードバック応答情報を復調するように構成される。
【０１１９】
ある可能な実施例において、前記第２のＤＣＩが複数のＤＣＩを含み、各ＤＣＩがフィードバック応答情報を有し、前記第２のＤＣＩの送信時間に基づいて、前記目標時間ユニットにおいて前記ＰＵＳＣＨで前記第２のＤＣＩのフィードバック応答情報を受信すると確定することについて、前記処理ユニット８０２は、具体的に、前記複数のＤＣＩのうちの少なくとも１つのＤＣＩの送信時間が第１のＤＣＩの送信時間の後であると確定し、前記複数のＤＣＩのフィードバック応答情報がパンクチャリングにより前記ＰＵＳＣＨに多重して伝送すると確定し、前記上りデータと前記複数のＤＣＩのフィードバック応答情報を復調するように構成される。
【０１２０】
ある可能な実施例において、前記第２のＤＣＩの送信時間に基づいて、前記目標時間ユニットにおいて前記ＰＵＳＣＨで前記第２のＤＣＩのフィードバック応答情報を受信すると確定することについて、前記処理ユニット８０２は、具体的に、前記第２のＤＣＩの送信時間と目標時間ユニットと又は前記ＰＵＳＣＨ開始位置との時間間隔を確定し、前記時間間隔に基づいて、前記目標時間ユニットにおいて前記ＰＵＳＣＨで前記第２のＤＣＩのフィードバック応答情報を受信すると確定するように構成される。
【０１２１】
ある可能な実施例において、前記時間間隔に基づいて、前記目標時間ユニットにおいて前記ＰＵＳＣＨで前記第２のＤＣＩのフィードバック応答情報を受信すると確定することについて、前記処理ユニット８０２は、具体的に、前記時間間隔が所定の時間間隔の以上であると確定し、前記第２のＤＣＩのフィードバック応答情報のビット数又は占有リソースに基づいて、前記第１のＤＣＩによりスケジューリングされる上りデータに対してレートデマッチングを行い、前記上りデータ及び前記第２のＤＣＩのフィードバック応答情報を復調するように構成される。
【０１２２】
ある可能な実施例において、前記時間間隔に基づいて、前記目標時間ユニットにおいて前記ＰＵＳＣＨで前記第２のＤＣＩのフィードバック応答情報を受信すると確定することについて、前記処理ユニット８０２は、具体的に、前記時間間隔が所定の時間間隔より小さいと確定し、前記第２のＤＣＩのフィードバック応答情報がパンクチャリングにより前記ＰＵＳＣＨに多重して伝送すると確定し、前記上りデータ及び前記第２のＤＣＩのフィードバック応答情報を復調するように構成される。
【０１２３】
ある可能な実施例において、前記第２のＤＣＩが複数のＤＣＩを含み、各ＤＣＩがフィードバック応答情報を有し、前記複数の第２のＤＣＩの送信時間に基づいて、前記目標時間ユニットにおいて前記ＰＵＳＣＨで前記第２のＤＣＩのフィードバック応答情報を送信すると確定することについて、前記処理ユニット８０２は、具体的に、前記複数のＤＣＩのうちの少なくとも１つのＤＣＩの送信時間が前記目標時間ユニットと又は前記ＰＵＳＣＨ開始位置との時間間隔が所定の時間間隔より小さいと確定し、前記複数のＤＣＩのフィードバック応答情報がパンクチャリングにより前記ＰＵＳＣＨに多重して伝送すると確定し、前記上りデータと前記複数のＤＣＩのフィードバック応答情報を復調するように構成される。
【０１２４】
ある可能な実施例において、前記プログラムは、前記端末からの前記所定の時間間隔を受信し、又は、前記端末からの前記所定の時間間隔を含む端末レベル情報を受信する命令を含む。
【０１２５】
処理ユニット８０２がプロセッサであり、通信ユニット８０３が通信インターフェースであり、記憶ユニット８０１がメモリである場合、本願の実施例に係るネットワークデバイスは、図６に示すネットワークデバイスであってもよい。
【０１２６】
本願の実施例がまた端末を提供し、図９に示すように、説明の便宜上、本願の実施例に関連する部分のみを示し、具体的な技術の詳細は開示されていないが、本願の実施例の方法の部分を参照されたい。この端末は、携帯電話、タブレット、ＰＤＡ ( Ｐｅｒｓｏｎａｌ Ｄｉｇｉｔａｌ Ａｓｓｉｓｔａｎｔ、携帯情報端末)、ＰＯＳ ( Ｐｏｉｎｔ ｏｆ Ｓａｌｅｓ、販売端末)、車載コンピュータなどを含む任意の端末デバイスであってよく、端末は、携帯電話を例とする。
【０１２７】
図９は、本願の実施例に係る端末に関する携帯電話の一部の構成を示すブロック図である。図９を参照すると、携帯電話は、無線周波数( Ｒａｄｉｏ Ｆｒｅｑｕｅｎｃｙ、ＲＦ )回路９１０、メモリ９２０、入力ユニット９３０、表示ユニット９４０、センサ９５０、オーディオ回路９６０、ＷｉＦｉ（Ｗｉｒｅｌｅｓｓ Ｆｉｄｅｌｉｔｙ）モジュール９７０、プロセッサ９８０、電源９９０などを備える。図９に示される携帯電話の構造は、携帯電話を限定するものではなく、図示されるよりも多いか少ない構成要素を含んでもよく、特定の構成要素を組み合わせたり、異なる構成要素を配置してもよいことが、当業者には理解されよう。
【０１２８】
以下、図９を参照して携帯電話の各構成部材について具体的に説明する。
【０１２９】
ＲＦ回路９１０は、情報の受信および送信に使用され得る。一般に、ＲＦ回路９１０は、アンテナ、少なくとも１つの増幅器、送受信機、結合器、低雑音増幅器( Ｌｏｗ Ｎｏｉｓｅ Ａｍｐｌｉｆｉｅｒ、ＬＮＡ )、デュプレクサなどを含むが、これらに限定されない。さらに、ＲＦ回路９１０は、無線通信を介してネットワークおよび他のデバイスと通信することもできる。上記の無線通信は、全地球移動通信システム( Ｇｌｏｂａｌ Ｓｙｓｔｅｍ ｏｆ Ｍｏｂｉｌｅ Ｃｏｍｍｕｎｉｃａｔｉｏｎ、ＧＳＭ )、ユニバーサルパケット無線サービス( Ｇｅｎｅｒａｌ Ｐａｃｋｅｔ Ｒａｄｉｏ Ｓｅｒｖｉｃｅ、ＧＰＲＳ )、符号分割多元接続( Ｃｏｄｅ Ｄｉｖｉｓｉｏｎ Ｍｕｌｔｉｐｌｅ Ａｃｃｅｓｓ、ＣＤＭＡ )、ブロードバンド符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )、ロングタームエボリューション( Ｌｏｎｇ Ｔｅｒｍ Ｅｖｏｌｕｔｉｏｎ、ＬＴＥ )、電子メール、ショートメッセージサービス( Ｓｈｏｒｔ Ｍｅｓｓａｇｉｎｇ Ｓｅｒｖｉｃｅ、ＳＭＳ )などを含む任意の通信標準またはプロトコルを使用し得るが、これらに限定されない。
【０１３０】
メモリ９２０は、ソフトウェアプログラム及びモジュールを格納するために使用されてもよく、プロセッサ９８０は、メモリ９２０に格納されたソフトウェアプログラム及びモジュールを実行することによって、携帯電話の様々な機能アプリケーション及びデータ処理を実行する。メモリ９２０は、オペレーティングシステム、少なくとも１つの機能に必要なアプリケーションなどを格納することができるプログラム格納領域と、携帯電話の使用に応じて作成されたデータ等が記憶されるデータ格納領域とを主に含んでもよい。さらに、メモリ９２０は、高速ランダムアクセスメモリを含んでもよく、少なくとも１つの磁気ディスク記憶装置、フラッシュメモリデバイス、または他の揮発性固体記憶デバイスなどの不揮発性メモリを含んでもよい。
【０１３１】
入力ユニット９３０は、数字又は文字情報の入力を受信し、携帯電話の使用者の設定及び機能制御に関するキー信号入力を生成するために使用される。具体的には、入力ユニット９３０は、指紋認識モジュール９３１及び他の入力装置９３２を含む。指紋認識モジュール９３１は、ユーザが存在する指紋データを取得することができる。入力ユニット９３０は、指紋認識モジュール９３１に加えて、他の入力デバイス９３２を含んでもよい。具体的には、他の入力装置９３２は、タッチスクリーン、物理的なキーボード、機能キー(例えば、音量調節キー、スイッチキーなど)、トラックボール、マウス、ジョイスティックなどのうちの１つ以上を含み得るが、これらに限定されない。
【０１３２】
表示ユニット９４０は、ユーザが入力した情報、またはユーザに提供された情報を表示するために使用され、携帯電話の様々なメニューを表示するために使用される。表示ユニット９４０は、表示スクリーン９４１を含んでもよく、任意選択的に、液晶ディスプレイ( Ｌｉｑｕｉｄ Ｃｒｙｓｔａｌ Ｄｉｓｐｌａｙ、ＬＣＤ )、有機発光ダイオード( Ｏｒｇａｎｉｃ Ｌｉｇｈｔ−Ｅｍｉｔｔｉｎｇ Ｄｉｏｄｅ、ＯＬＥＤ )などの形態で構成されてもよい。図９では、指紋認識モジュール９３１と表示スクリーン９４１は、２つの独立した部品として携帯電話の入力及び入力機能を実現するが、いくつかの実施例において、指紋認識モジュール９３１と表示スクリーン９４１を統合して携帯電話の入力及び再生機能を実現することができる。
【０１３３】
携帯電話は、光センサ、モーションセンサ、及び他のセンサなどの少なくとも１つのセンサ９５０を更に含むことができる。具体的には、光センサは、周辺光センサ及び近接センサを含み、周辺光センサは、周辺光の明暗に応じて表示スクリーン９４１の輝度を調節し、近接センサは、携帯電話が耳に移動したときに表示スクリーン９４１及び/又はバックライトをオフにすることができる。モーションセンサの一種として、加速度計センサは、様々な方向(一般的には３軸)の加速度の大きさを検出し、静止時は重力の大きさ及び方向を検出し、携帯電話の姿勢を認識するアプリケーション(例えば、縦横画面切替、関連ゲーム、磁力計の姿勢較正)、振動認識関連機能(例えば、歩数計、ストローク)等に用いることができ、携帯電話に配置可能なジャイロスコープ、気圧計、湿度計、温度計、赤外線センサ等の他のセンサについては説明を省略する。
【０１３４】
オーディオ回路９６０、スピーカ９６１、マイク９６２は、ユーザと携帯電話との間のオーディオインターフェースを提供し得る。オーディオ回路９６０は、受信されたオーディオデータを変換した電気信号をスピーカ９６１に伝送し、スピーカ９６１で音声信号に変換して再生する一方、マイク９６２は、集音した音声信号を電気信号に変換し、オーディオ回路９６０で受信して音声データに変換し、音声データ再生処理部９８０で処理した後、ＲＦ回路９１０を介して他の携帯電話等に送信したり、メモリ９２０に再生して処理する。
【０１３５】
ＷｉＦｉは、近距離無線送信技術に属し、ＷｉＦｉモジュール９７０を通じて、携帯電話は、ユーザが無線ブロードバンドインターネットアクセスを提供する電子メールの送受信、ウェブページの閲覧、ストリーミングメディアへのアクセスなどを支援し得る。図９はＷｉＦｉモジュール９７０を示しているが、携帯電話の必須構成ではなく、必要に応じて発明の本質を変更しない範囲で完全に省略できることは理解される。
【０１３６】
プロセッサ９８０は、携帯電話の制御センターであり、各種のインターフェース及び回線を用いて携帯電話全体の各部を接続し、メモリ９２０に格納されたソフトウェアプログラム及び/又はモジュールを実行又は実行し、メモリ９２０に格納されたデータを呼び出して携帯電話の各種機能及び処理データを実行することにより、携帯電話全体の監視を行う。任意選択で、プロセッサ９８０は、１つまたは複数の処理ユニットを備えてもよく、好ましくは、プロセッサ９８０は、オペレーティングシステム、ユーザインターフェース、およびアプリケーションなどを主に処理するアプリケーションプロセッサと、ワイヤレス通信を主に処理するモデムプロセッサとを統合することができる。プロセッサ９８０に上記モデムプロセッサが統合されなくてもよいことが理解される。
【０１３７】
携帯電話は、好ましくは、電源管理システムを介してプロセッサ９８０に論理的に接続され得る様々な構成要素に電力を供給するための電池のような電源９９０をさらに含み、これにより、充電、放電、および電力消費の管理などを電源管理システムを介して管理する機能が実現される。
【０１３８】
図示されていないが、携帯電話は、カメラ、ブルートゥースモジュールなどをさらに含むことができ、ここではその説明を省略する。
【０１３９】
前記図２ー図４Ａに示した実施例において、各ステップ方法における端末側のフローは、当該携帯電話の構成に基づいて実現することができる。
【０１４０】
前記図５、図６に示した実施例において、各手段の機能は、この携帯電話の構成に基づいて実現することができる。
【０１４１】
本願の実施例は、電子データ交換のためのコンピュータプログラムを記憶するコンピュータ可読記憶媒体をさらに提供し、コンピュータプログラムは、コンピュータに、上述の方法の実施例における端末に記載されるステップの一部又は全部を実行させる。
【０１４２】
本願の実施例は、電子データ交換のためのコンピュータプログラムを記憶するコンピュータ可読記憶媒体をさらに提供し、コンピュータプログラムは、コンピュータに、上述の方法の実施例におけるネットワークデバイスに記載されるステップの一部又は全部を実行させる。
【０１４３】
本願の実施例は、コンピュータプログラムを記憶する非一時的コンピュータ可読記憶媒体を含むコンピュータプログラム製品をさらに提供し、コンピュータプログラムは、上述の方法の実施例の端末に記載されるステップの一部又は全部をコンピュータに実行させるように動作可能である。また、前記コンピュータプログラムは、ソフトウェアのインストールパッケージであってもよい。
【０１４４】
本願の実施例は、コンピュータプログラムを記憶する非一時的コンピュータ可読記憶媒体を含むコンピュータプログラム製品をさらに提供し、コンピュータプログラムは、上述の方法の実施例のネットワークデバイスに記載されるステップの一部又は全部をコンピュータに実行させるように動作可能である。また、前記コンピュータプログラムは、ソフトウェアのインストールパッケージであってもよい。
【０１４５】
本願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ、ＲＡＭ )、フラッシュメモリ、リードオンリーメモリ( Ｒｅａｄ Ｏｎｌｙ Ｍｅｍｏｒｙ、ＲＯＭ )、消去可能プログラマブルリードオンリーメモリ( Ｅｒａｓａｂｌｅ Ｐｒｏｇｒａｍｍａｂｌｅ ＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、ＡＳＩＣ内に配置され得る。また、ＡＳＩＣは、アクセスネットワークデバイス、ターゲットネットワークデバイス、またはコアネットワークデバイス内に配置され得る。もちろん、プロセッサおよび記憶媒体は、アクセスネットワークデバイス、ターゲットネットワークデバイス、またはコアネットワークデバイス内に個別構成要素として存在してもよい。
【０１４６】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施例にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ、ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ、ＤＶＤ ) )、又は半導体媒体(例えば、ソリッドステートドライブ( ＳＳＤ ) )などであってもよい。
【０１４７】
本願の実施例の目的、技術的解決策、および効果を、上記の具体的な実施例についてさらに詳細に説明したが、上記の説明は、本願の実施例の具体的な実施例にすぎず、本願の実施例の保護範囲を制限するものではなく、本願の実施例の技術的解決策に基づいて、本願の実施例の保護範囲内に含まれるあらゆる修正、均等物、および改良がなされるべきであることが理解される。
【図１】
2021500767.tif 000003
【図２】
2021500767.tif 000004
【図３】
2021500767.tif 000005
【図４Ａ】
2021500767.tif 000006
【図４Ｂ】
2021500767.tif 000007
【図４Ｃ】
2021500767.tif 000008
【図４Ｄ】
2021500767.tif 000009
【図４Ｅ】
2021500767.tif 000010
【図５】
2021500767.tif 000011
【図６】
2021500767.tif 000012
【図７】
2021500767.tif 000013
【図８】
2021500767.tif 000014
【図９】
2021500767.tif 000015
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
端末が第１の下り制御シグナリングＤＣＩを受信することと、
前記端末が第２のＤＣＩを受信することと、
前記端末が前記第２のＤＣＩの送信時間に基づいて、目標時間ユニットにおいてＰＵＳＣＨで前記第２のＤＣＩのフィードバック応答情報を送信することとを含み、
前記第１のＤＣＩは、前記端末が前記目標時間ユニットにおいて前記物理上り共有チャネルＰＵＳＣＨで上りデータを送信するようにスケジューリングするために用いられ、
前記第２のＤＣＩのフィードバック応答情報が前記目標時間ユニットにおいて送信され、前記第２のＤＣＩの送信時間が前記目標時間ユニットの前、又は前記目標時間ユニットと同じである
ことを特徴とする情報伝送方法。
【請求項２】
前記端末が前記第２のＤＣＩの送信時間に基づいて、前記目標時間ユニットにおいて前記ＰＵＳＣＨで前記第２のＤＣＩのフィードバック応答情報を送信すると確定することは、
前記端末が、前記第２のＤＣＩの送信時間と前記目標時間ユニットと又は前記ＰＵＳＣＨの開始位置との時間間隔を確定することと、
前記端末が前記時間間隔に基づいて、前記目標時間ユニットにおいて前記ＰＵＳＣＨで前記第２のＤＣＩのフィードバック応答情報を送信することとを含む
ことを特徴とする請求項１に記載の情報伝送方法。
【請求項３】
前記端末が前記第２のＤＣＩの送信時間に基づいて、前記目標時間ユニットにおいて前記ＰＵＳＣＨで前記第２のＤＣＩのフィードバック応答情報を送信することは、
前記端末が前記時間間隔と所定の時間間隔に基づいて、前記目標時間ユニットにおいて前記ＰＵＳＣＨで前記第２のＤＣＩのフィードバック応答情報を送信することを含む
ことを特徴とする請求項１に記載の情報伝送方法。
【請求項４】
前記端末が前記時間間隔に基づいて、前記目標時間ユニットにおいて前記ＰＵＳＣＨで前記第２のＤＣＩのフィードバック応答情報を送信することは、
前記端末が、前記時間間隔が所定の時間間隔の以上であると確定し、前記第２のＤＣＩのフィードバック応答情報のビット数又は少なくとも１つの占有リソースに基づいて、前記第１のＤＣＩによりスケジューリングされる上りデータに対してレートマッチングを行うことと、
前記端末が前記ＰＵＳＣＨでレートマッチングされた前記上りデータ及び前記第２のＤＣＩのフィードバック応答情報を伝送することとを含む
ことを特徴とする請求項２に記載の情報伝送方法。
【請求項５】
前記第２のＤＣＩが複数のＤＣＩを含み、各ＤＣＩがフィードバック応答情報を有する
ことを特徴とする請求項１に記載の情報伝送方法。
【請求項６】
前記方法は、さらに、
前記端末がネットワークデバイスに前記所定の時間間隔を送信すること、又は、
前記端末が前記ネットワークデバイスに前記所定の時間間隔を含む端末レベル情報を送信することを含む
ことを特徴とする請求項３〜５のいずれか１項に記載の情報伝送方法。
【請求項７】
前記所定の時間間隔の値は、予め定められたプロトコルによって構成されるか、又は、ネットワークデバイスによって構成される
ことを特徴とする請求項３〜５のいずれか１項に記載の情報伝送方法。
【請求項８】
処理ユニットと通信ユニットとを備える端末であって、
前記処理ユニットは、前記通信ユニットを利用して第１の下り制御シグナリングＤＣＩを受信し、前記通信ユニットを利用して第２のＤＣＩを受信し、前記第２のＤＣＩの送信時間に基づいて、目標時間ユニットにおいてＰＵＳＣＨで前記第２のＤＣＩのフィードバック応答情報を送信するように構成され、
前記第１のＤＣＩは、前記端末が前記目標時間ユニットにおいて前記物理上り共有チャネルＰＵＳＣＨで上りデータを送信するようにスケジューリングするために用いられ、
前記第２のＤＣＩのフィードバック応答情報が前記目標時間ユニットにおいて送信され、前記第２のＤＣＩの送信時間が前記目標時間ユニットの前、又は前記目標時間ユニットと同じである
ことを特徴とする端末。
【請求項９】
前記処理ユニットは、前記第２のＤＣＩの送信時間と前記目標時間ユニットと又は前記ＰＵＳＣＨの開始位置との時間間隔を確定するように構成され、
前記通信ユニットは、前記時間間隔に基づいて、前記目標時間ユニットにおいて前記ＰＵＳＣＨで前記第２のＤＣＩのフィードバック応答情報を送信するように構成される
ことを特徴とする請求項８に記載の端末。
【請求項１０】
前記処理ユニットは、前記端末が前記時間間隔と所定の時間間隔に基づいて、前記目標時間ユニットにおいて前記ＰＵＳＣＨで前記第２のＤＣＩのフィードバック応答情報を送信するように構成される
ことを特徴とする請求項９に記載の端末。
【請求項１１】
前記処理ユニットは、前記時間間隔が所定の時間間隔の以上であると確定し、前記第２のＤＣＩのフィードバック応答情報のビット数又は少なくとも１つの占有リソースに基づいて、前記第１のＤＣＩによりスケジューリングされる上りデータに対してレートマッチングを行い、
前記通信ユニットは、前記ＰＵＳＣＨでレートマッチングされた前記上りデータ及び前記第２のＤＣＩのフィードバック応答情報を伝送するように構成される
ことを特徴とする請求項９に記載の端末。
【請求項１２】
前記第２のＤＣＩが複数のＤＣＩを含み、各ＤＣＩがフィードバック応答情報を有する
ことを特徴とする請求項８に記載の端末。
【請求項１３】
前記処理ユニットは、
前記通信ユニットを介してネットワークデバイスに前記所定の時間間隔を送信し、又は、
前記通信ユニットを介して前記ネットワークデバイスに前記所定の時間間隔を含む端末レベル情報を送信するように構成される
ことを特徴とする請求項１０〜１２のいずれか１項に記載の端末。
【請求項１４】
前記所定の時間間隔の値は、予め定められたプロトコルによって構成されるか、又は、ネットワークデバイスによって構成される
ことを特徴とする請求項１０〜１２のいずれか１項に端末。
【請求項１５】
処理ユニットと通信ユニットとを備えるネットワークデバイスであって、
前記処理ユニットは、前記通信ユニットを利用して第１の下り制御シグナリングＤＣＩを送信し、前記通信ユニットを利用して第２のＤＣＩを送信し、前記第２のＤＣＩの送信時間に基づいて、目標時間ユニットにおいてＰＵＳＣＨで前記第２のＤＣＩのフィードバック応答情報を受信するように構成され、
前記第１のＤＣＩは、端末が前記目標時間ユニットにおいて前記物理上り共有チャネルＰＵＳＣＨで上りデータを送信するようにスケジューリングするために用いられ、
前記第２のＤＣＩのフィードバック応答情報が前記目標時間ユニットにおいて送信され、前記第２のＤＣＩの送信時間が前記目標時間ユニットの前、又は前記目標時間ユニットと同じである
ことを特徴とするネットワークデバイス。
【国際調査報告】
2021500767.tif 000016
2021500767.tif 000017
2021500767.tif 000018
2021500767.tif 000019